(57)【要約】ＩｏＴ（Ｉｎｔｅｒｎｅｔ  ｏｆ  Ｔｈｉｎｇｓ）技術を用いて４世代（４Ｇ）システムより高いデータ速度をサポートする５世代（５Ｇ）通信システムを融合する通信方法及びシステムを提供する。本発明の通信方法及びシステムは、スマートホーム、スマートビルディング、スマートシティ、スマートカー、コネクテッドカー、ヘルスケア、デジタル教育、スマートリテール、セキュリティ、及び安全サービスのような、５Ｇ通信技術及びＩｏＴ関連技術に基づくインテリジェントサービスを含む。【選択図】  図２０
2020528711.tif 000002
【特許請求の範囲】
【請求項１】
端末機によってランダムアクセス（ｒａｎｄｏｍ  ａｃｃｅｓｓ：以下、ＲＡ）プリアンブルを送信する方法であって、
基地局から、同期信号（ｓｙｎｃｈｒｏｎｉｚａｔｉｏｎ  ｓｉｇｎａｌ：以下、ＳＳ）ブロックと関連したＲＡリソースに関する設定情報を受信する段階と、
前記基地局から一つ以上のＳＳブロックを受信する段階と、
前記設定情報に基づいて、前記一つ以上のＳＳブロック中で無競合ＲＡリソースが設定される少なくとも一つの適切なＳＳブロックが存在するか否かを判定する段階と、
前記一つ以上のＳＳブロック中で無競合ＲＡリソースが設定される少なくとも一つの適切なＳＳブロックが存在する場合、無競合ＲＡリソースが設定される適切なＳＳブロックを選択する段階と、
前記選択された適切なＳＳブロックに対応する第１ＲＡプリアンブルを選択する段階と、
前記第１ＲＡプリアンブルを前記基地局に送信する段階と、を有することを特徴とするランダムアクセスプリアンブルを送信する方法。
【請求項２】
前記一つ以上のＳＳブロック中で無競合ＲＡリソースが設定される適切なＳＳブロックが見つけられない場合、競合基盤（ｃｏｎｔｅｎｔｉｏｎ  ｂａｓｅｄ）ＲＡリソースが設定される適切なＳＳブロックを選択する段階をさらに有することを特徴とする請求項１に記載のランダムアクセスプリアンブルを送信する方法。
【請求項３】
前記一つ以上のＳＳブロック中で特定ＳＳブロックの信号品質が無線リソース制御（ＲＲＣ）シグナリングで設定されたしきい値より大きい場合、前記特定ＳＳブロックは適切なＳＳブロックとして決定され、
前記ＳＳブロックの信号品質は、前記ＳＳブロックの基準信号受信電力（ＲＳＲＰ）に基づくことを特徴とする請求項１に記載のランダムアクセスプリアンブルを送信する方法。
【請求項４】
前記選択されたＳＳブロックに対応するＲＡリソースからＲＡリソースを搬送（ｃａｒｒｙ）する次の利用可能な時間スロットを選択する段階をさらに有することを特徴とする請求項１に記載のランダムアクセスプリアンブルを送信する方法。
【請求項５】
第２ＲＡプリアンブルを基地局に送信する段階と、
ＲＡＲウィンドウで前記第１ＲＡプリアンブル及び前記第２ＲＡプリアンブルに対する応答をモニタリングする段階と、をさらに有し、
前記ＲＡＲウィンドウは、前記第１ＲＡプリアンブルの送信後のオフセット以後に開始されることを特徴とする請求項１に記載のランダムアクセスプリアンブルを送信する方法。
【請求項６】
基地局によってランダムアクセス（ＲＡ）プリアンブルを受信する方法であって、
同期信号（ＳＳ）ブロックと関連したＲＡリソースに関する設定情報を端末機に送信する段階と、
一つ以上のＳＳブロックを前記端末機に送信する段階と、
前記端末機からＲＡプリアンブルを受信する段階と、を有し、
前記ＲＡプリアンブルは、前記一つ以上のＳＳブロック中で無競合ＲＡリソースが設定される少なくとも一つの適切なＳＳブロックが存在するか否かに基づいて、前記一つ以上のＳＳブロック中で選択されたＳＳブロックに対応し、
前記一つ以上のＳＳブロック中で無競合ＲＡリソースが設定される少なくとも一つの適切なＳＳブロックが存在すると、前記ＳＳブロックは、無競合ＲＡリソースが設定される適切なＳＳブロックであることを特徴とするランダムアクセスプリアンブルを受信する方法。
【請求項７】
前記一つ以上のＳＳブロック中で無競合ＲＡリソースが設定される適切なＳＳブロックが見つけられない場合、前記ＳＳブロックは、競合基盤ＲＡリソースが設定される適切なＳＳブロックであることを特徴とする請求項６に記載のランダムアクセスプリアンブルを受信する方法。
【請求項８】
前記一つ以上のＳＳブロック中で特定ＳＳブロックの信号品質が無線リソース制御（ＲＲＣ）シグナリングで設定されたしきい値より大きい場合、前記特定ＳＳブロックは、適切なＳＳブロックとして決定され、前記ＳＳブロックの信号品質は、前記ＳＳブロックの基準信号受信電力（ＲＳＲＰ）に基づくことを特徴とする請求項６に記載のランダムアクセスプリアンブルを受信する方法。
【請求項９】
ランダムアクセス（ＲＡ）プリアンブルを送信する端末機であって、
基地局から信号を受信し、信号を基地局に送信するように構成される送受信機と、
前記送受信機と接続され、前記送受信機が前記基地局から同期信号（ＳＳ）ブロックと関連したＲＡリソースに関する設定情報を受信することを制御し、
前記送受信機が前記基地局から一つ以上のＳＳブロックを受信することを制御し、
前記設定情報に基づいて前記一つ以上のＳＳブロック中で無競合ＲＡリソースが設定される少なくとも一つの適切なＳＳブロックが存在するか否かを判定し、
前記一つ以上のＳＳブロック中で無競合ＲＡリソースが設定される少なくとも一つの適切なＳＳブロックが存在する場合、無競合ＲＡリソースが設定される適切なＳＳブロックを選択し、
前記選択された適切なＳＳブロックに対応する第１ＲＡプリアンブルを選択し、
前記送受信機が前記第１ＲＡプリアンブルを前記基地局に送信することを制御するように構成される制御機と、を有することを特徴とする端末機。
【請求項１０】
前記制御機は、前記一つ以上のＳＳブロック中で無競合ＲＡリソースが設定される適切なＳＳブロックが見つけられない場合、競合基盤ＲＡリソースが設定される適切なＳＳブロックを選択するようにさらに構成されることを特徴とする請求項９に記載の端末機。
【請求項１１】
前記制御機は、前記一つ以上のＳＳブロック中で特定ＳＳブロックの信号品質が無線リソース制御（ＲＲＣ）シグナリングで設定されたしきい値より大きい場合、前記特定ＳＳブロックを適切なＳＳブロックとして決定するように構成され、
前記ＳＳブロックの信号品質は、前記ＳＳブロックの基準信号受信電力（ＲＳＲＰ）に基づくことを特徴とする請求項９に記載の端末機。
【請求項１２】
前記制御機は、前記選択されたＳＳブロックに対応するＲＡリソースからＲＡリソースを搬送（ｃａｒｒｙ）する次の利用可能な時間スロットを選択するようにさらに構成されることを特徴とする請求項９に記載の端末機。
【請求項１３】
前記制御機は、第２ＲＡプリアンブルを前記基地局に送信するように前記送受信機を制御し、
ＲＡＲウィンドウで、前記第１ＲＡプリアンブル及び前記第２ＲＡプリアンブルに対する応答をモニタリングするようにさらに構成され、
前記ＲＡＲウィンドウは、前記第１ＲＡプリアンブルの送信後のオフセット以後に開始されることを特徴とする請求項９に記載の端末機。
【請求項１４】
ランダムアクセス（ＲＡ）プリアンブルを受信する基地局であって、
端末機から信号を受信し、信号を前記端末機に送信するように構成される送受信機と、  前記送受信機と接続され、前記送受信機が同期信号（ＳＳ）ブロックと関連したＲＡリソースに関する設定情報を前記端末機に送信することを制御し、
前記送受信機が一つ以上のＳＳブロックを前記端末機に送信することを制御し、
前記送受信機が前記端末機からＲＡプリアンブルを受信することを制御するように構成される制御機と、を有し、
前記ＲＡプリアンブルは、前記一つ以上のＳＳブロック中で無競合ＲＡリソースが設定される少なくとも一つの適切なＳＳブロックが存在するか否かに基づいて、前記一つ以上のＳＳブロック中で選択されたＳＳブロックに対応し、
前記一つ以上のＳＳブロック中で無競合ＲＡリソースが設定される少なくとも一つの適切なＳＳブロックが存在すると、前記ＳＳブロックは、無競合ＲＡリソースが設定される適切なＳＳブロックであることを特徴とするランダムアクセスプリアンブルを受信する基地局。
【請求項１５】
前記一つ以上のＳＳブロック中で無競合ＲＡリソースが設定される適切なＳＳブロックが見つけられない場合、前記ＳＳブロックは競合基盤ＲＡリソースが設定される適切なＳＳブロックであることを特徴とする請求項１４に記載のランダムアクセスプリアンブルを受信する基地局。
【発明の詳細な説明】
【技術分野】
【０００１】
本発明は、無線通信システムでランダムアクセス手続きを行うシステム、方法、及び装置に関し、より具体的には、本発明は、ランダムアクセス手続きの間のＰＲＡＣＨプリアンブル及び／又はＰＲＡＣＨリソース／オケージョン（ｏｃｃａｓｉｏｎ）を選択する方法に関する。
【背景技術】
【０００２】
４Ｇ通信システムの商用化以後に増加趨勢にある無線データトラフィックに対するニーズを満たすため、改善された５Ｇ通信システム又はプレ−５Ｇ通信システムを開発するための努力がなされている。
このような理由で、５Ｇ通信システム又はｐｒｅ−５Ｇ通信システムは、４Ｇネットワーク以後（Ｂｅｙｏｎｄ  ４Ｇ  Ｎｅｔｗｏｒｋ）通信システム又はＬＴＥシステム以後（Ｐｏｓｔ  ＬＴＥ）のシステムと呼ばれている。
【０００３】
高いデータ送信率を達成するために、５Ｇ通信システムは、超高周波（ｍｍＷａｖｅ）帯域（例えば、６０ギガ（６０ＧＨｚ）帯域のような）での具現が考慮されている。
超高周波帯域での電波の経路損失の緩和及び電波の伝達距離を増加させるために、５Ｇ通信システムではビームフォーミング（ｂｅａｍｆｏｒｍｉｎｇ）、大規模ＭＩＭＯ（ｍａｓｓｉｖｅ  ＭＩＭＯ（ｍｕｌｔｉｐｌｅ−ｉｎｐｕｔ  ａｎｄ  ｍｕｌｔｉｐｌｅ−ｏｕｔｐｕｔ））、全次元ＭＩＭＯ（Ｆｕｌｌ  Ｄｉｍｅｎｓｉｏｎａｌ  ＭＩＭＯ：ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、及び大規模アンテナ（ｌａｒｇｅ  ｓｃａｌｅ  ａｎｔｅｎｎａ）技術が論議されている。
【０００４】
さらに、システムのネットワーク改善のために、５Ｇ通信システムでは進化した小型セル、改善した小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間の通信（Ｄｅｖｉｃｅ  ｔｏ  Ｄｅｖｉｃｅ  ｃｏｍｍｕｎｉｃａｔｉｏｎ：Ｄ２Ｄ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（Ｃｏｏｒｄｉｎａｔｅｄ  Ｍｕｌｔｉ−Ｐｏｉｎｔｓ）、及び受信干渉除去（ｉｎｔｅｒｆｅｒｅｎｃｅ  ｃａｎｃｅｌｌａｔｉｏｎ）などの技術開発がなされている。
【０００５】
これ以外にも、５Ｇシステムでは進歩したコーディング変調（Ａｄｖａｎｃｅｄ  Ｃｏｄｉｎｇ  Ｍｏｄｕｌａｔｉｏｎ：ＡＣＭ）方式であるＦＱＡＭ（Ｈｙｂｒｉｄ  ＦＳＫ  ａｎｄ  ＱＡＭ  Ｍｏｄｕｌａｔｉｏｎ）及びＳＷＳＣ（Ｓｌｉｄｉｎｇ  Ｗｉｎｄｏｗ  Ｓｕｐｅｒ  ｐｏｓｉｔｉｏｎ  Ｃｏｄｉｎｇ）と、進歩した接続技術であるＦＢＭＣ（Ｆｉｌｔｅｒ  Ｂａｎｋ  Ｍｕｌｔｉ  Ｃａｒｒｉｅｒ）、ＮＯＭＡ（ｎｏｎ  ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
一方、インターネットは、人間が情報を生成して消費する人間中心の接続網から、事物など分散した構成要素の間に情報を取り交わして処理するＩｏＴ（Ｉｎｔｅｒｎｅｔ  ｏｆ  Ｔｈｉｎｇｓ：事物インターネット）網に進化しつつある。
クラウドサーバーなどとの接続を通じるビックデータ（Ｂｉｇｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も台頭している。
ＩｏＴを具現するために、センシング技術、有無線通信、及びネットワークインフラ、サービスインターフェース技術、及び保安技術のような技術要素が要求され、最近では事物間の接続のためのセンサーネットワーク（ｓｅｎｓｏｒ  ｎｅｔｗｏｒｋ）、マシンツーマシン（Ｍａｃｈｉｎｅｏ  Ｍａｃｈｉｎｅ：Ｍ２Ｍ）、ＭＴＣ（Ｍａｃｈｉｎｅ  Ｔｙｐｅ  Ｃｏｍｍｕｎｉｃａｔｉｏｎ）などの技術が研究されている。
【０００７】
ＩｏＴ環境では接続された事物で生成されたデータを収集、分析して人間の生活に新しい価値を創出する知能型ＩＴ（Ｉｎｔｅｒｎｅｔ  Ｔｅｃｈｎｏｌｏｇｙ）サービスが提供され得る。
ＩｏＴは、既存のＩＴ技術と多様な産業間の融合及び複合を介してスマートホーム、スマートビルディング、スマートシティ、スマートカー又はコネクテッドカー、スマートグリッド、ヘルスケア、スマート家電、先端医療サービスなどの分野に応用することができる。
【０００８】
これに、５Ｇ通信システムをＩｏＴ網に適用するための多様な試みがなされている。
例えば、センサーネットワーク（ｓｅｎｓｏｒ  ｎｅｔｗｏｒｋ）、マシンツーマシン（Ｍａｃｈｉｎｅ  ｔｏ  Ｍａｃｈｉｎｅ：Ｍ２Ｍ）、ＭＴＣ（Ｍａｃｈｉｎｅ  Ｔｙｐｅ  Ｃｏｍｍｕｎｉｃａｔｉｏｎ）などの技術が、５Ｇ通信技術がビームフォーミング、ＭＩＭＯ、及びアレイアンテナなどの技法によって具現されていることである。
前述したビックデータ処理技術としてクラウド無線アクセスネットワーク（ｃｌｏｕｄ  ＲＡＮ）が適用されることも５Ｇ技術とＩｏＴ技術融合の一例と言えるであろう。
【０００９】
近年、広帯域加入者の増加に対応し、より多くの良質のアプリケーションとサービスを提供するために多くの広帯域無線技術が開発された。
２世代（２Ｇ）無線通信システムは、ユーザの移動性を保障しながら音声サービスを提供するために開発された。
３世代（３Ｇ）無線通信システムは、音声サービスだけではなくデータサービスもサポートする。
４Ｇ無線通信システムは、高速データサービスを提供するために開発された。
しかし、現在、４Ｇ無線通信システムは、高速データサービスに対する増加する需要を満たすためのリソースの不足に困っている。
したがって、５Ｇ無線通信システムは、高速データサービス、超信頼性及び低い待機時間アプリケーションに対する増加する需要を満たすために開発されている。
【００１０】
さらに、５Ｇ無線通信システムは、データ速度、待機時間に、信頼性、移動性などの側面で非常に異なる要求事項を有する異なるユースケース（ｕｓｅ  ｃａｓｅ）を処理することで期待される。
しかし、５Ｇ無線通信システムの無線インターフェースの設計は、ユースケースによって非常に異なる能力を有するユーザ装置（ｕｓｅｒ  ｅｑｕｉｐｍｅｎｔ：以下、ＵＥ）をサービングし、ＵＥカーターサービス（ＵＥ  ｃａｔｅｒ  ｓｅｒｖｉｃｅ）を最終顧客にマーケットセグメント（ｍａｒｋｅｔ  ｓｅｇｍｅｎｔ）するのに充分に柔軟なことで期待される。
５Ｇ無線通信システムが扱うことで期待される例示的なユースケースは、ｅＭＢＢ（ｅｎｈａｎｃｅｄ  ｍｏｂｉｌｅ  ｂｒｏａｄｂａｎｄ）、ｍ−ＭＴＣ（ｍａｓｓｉｖｅ  ｍａｃｈｉｎｅ  ｔｙｐｅ  ｃｏｍｍｕｎｉｃａｔｉｏｎ）、ＵＲＬＬ（ｕｌｔｒａ−ｒｅｌｉａｂｌｅ  ｌｏｗ  ｌａｔｅｎｃｙ  ｃｏｍｍｕｎｉｃａｔｉｏｎ）などである。
【００１１】
数十Ｇｂｐｓのデータ速度、低い待機時間に、高い移動性などのようなｅＭＢＢ要求事項は、いつでもどこでも移動中に（ｅｖｅｒｙｗｈｅｒｅ、ａｌｌ  ｔｈｅ  ｔｉｍｅ  ａｎｄ  ｏｎ  ｔｈｅ  ｇｏ）インターネット接続を要する既存の無線広帯域加入者を示すマーケットセグメントを扱う。
非常に高い接続密度、珍しいデータＴＸ、非常に長いバッテリー寿命、低い移動性アドレスなどのようなｍ−ＭＴＣ要求事項は、数十億個のデバイスの接続を想定するＩｏＴ／ＩｏＥを示すマーケットセグメントを扱う。
非常に低い待機時間に、非常に高い信頼性、及び可変的移動性などのようなＵＲＬＬ要求事項は、産業自動化アプリケーション、自律車のために行うことができることのうちの一つとして予測される車対車／車対インフラ通信を示すマーケットセグメントを扱う。
【００１２】
既存の無線通信システム、すなわち、ＬＴＥで、ランダムアクセス（ｒａｎｄｏｍ  ａｃｃｅｓｓ：以下、ＲＡ）手続きは、アップリンク時間同期化を達成するために用いられる。
ＲＡ手続きは、初期アクセス、ハンドオーバー、無線リソース制御（ｒａｄｉｏ  ｒｅｓｏｕｒｃｅ  ｃｏｎｔｒｏｌ：以下、ＲＲＣ）接続再設定手続き、位置決定目的、スケジューリングリクエスト送信、ＳＣＧ（ｓｅｃｏｎｄａｒｙ  ｃｅｌｌ  ｇｒｏｕｐ）付加／修正、及びＲＲＣ  ＣＯＮＮＥＣＴＥＤ状態での非同期化されたＵＥによるアップリンクでのデータ又は制御情報送信の間のＬＴＥで用いられる。
ＬＴＥでは２つのタイプのＲＡ手続き、「競合基盤（ｃｏｎｔｅｎｔｉｏｎ−ｂａｓｅｄ）」及び「無競合（ｃｏｎｔｅｎｔｉｏｎ−ｆｒｅｅ）」が定義される。
【００１３】
≪競合基盤ＲＡ（Ｃｏｎｔｅｎｔｉｏｎ−ｂａｓｅｄ  ＲＡ：以下、ＣＢＲＡ）手続き≫
図１は、関連技術によるＣＢＲＡの手続きを説明するための図である。
【００１４】
・ＲＡプリアンブル（又はＭｓｇ１）送信
ＵＥは、動作１０１で、ＲＡプリアンブルを送信する。
ＵＥは、利用可能な６４−Ｎｃｆ競合基盤ＲＡプリアンブルのうちの一つを選択する。
Ｎｃｆは、無競合アクセスのために予約されたＲＡプリアンブルの数である。
競合基盤ＲＡプリアンブルは、選択的に２個のグループに分割される。
２個のグループが設定されると、ＵＥは、ＵＥが送信することができるメッセージ３のサイズに基づいてグループを選択する。
初期ＲＡプリアンブル送信電力は、経路損失を補償した後、開放ループ推定に基づいてセッティングされる。
【００１５】
・ＲＡ応答（ＲＡ  ｒｅｓｐｏｎｓｅ、以下、ＲＡＲ）又はＭｓｇ２
動作１０２で、ＮＢ（ｅｖｏｌｖｅｄ  ｎｏｄｅ  Ｂ）は、ＲＡ−ＲＮＴＩ（ｒａｎｄｏｍ  ａｃｃｅｓｓ−ｒａｄｉｏ  ｎｅｔｗｏｒｋ  ｔｅｍｐｏｒａｒｙ  ｉｄｅｎｔｉｆｉｅｒ）でアドレッシング（ａｄｄｒｅｓｓｉｎｇ）された物理的ダウンリンク共有チャンネル（ｐｈｙｓｉｃａｌ  ｄｏｗｎｌｉｎｋ  ｓｈａｒｅｄ  ｃｈａｎｎｅｌ：ＰＤＳＣＨ）を介してＲＡＲを送信する。
ＲＡ−ＲＮＴＩは、ＲＡプリアンブルがｅＮＢによって探知された時間−周波数スロットを識別する。
ＲＡＲは、ＲＡプリアンブル識別子、タイミング整列情報、臨時Ｃ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）及びメッセージ３のためのＵＬ認可（ｇｒａｎｔ）を伝達する。
ＲＡＲは、さらにＲＡ試みを再び試みる前に、一定期間の間に、バックオフ（ｂａｃｋ  ｏｆｆ）するようにＵＥに指示するバックオフインジケーター（ｉｎｄｉｃａｔｏｒ）を含み得る。
ＲＡＲは、ＲＡＲウィンドウで送信される。
【００１６】
図３は、関連技術によるＲＡプリアンブル送信及びＲＡＲウィンドウを説明するための図である。
図３に示すように、ＲＡＲウィンドウは、サブフレーム‘ｘ’で送信されたＲＡプリアンブルに対するサブフレーム‘ｘ＋３’で開始する。
ＲＡＲウィンドウサイズは、設定可能である。
【００１７】
・ＵＬ共有チャンネル（ｓｈａｒｅｄ  ｃｈａｎｎｅｌ：以下、ＳＣＨ）（又はＭｓｇ３）上のスケジューリングされたアップリンク（ＵＬ）送信
動作１０３で、ＵＥは、スケジューリングされた送信を行う。
スケジューリングされたＵＬ送信は、ＲＲＣ接続リクエスト、ＲＲ接続再設定リクエスト、ＲＲＣハンドオーバー確認、スケジューリングリクエストなどのようなメッセージを送信するのに用いられる。
これはさらにＵＥアイデンティティー（すなわち、Ｃ−ＲＮＴＩ又はＳ−ＴＭＳＩ（ｓｙｓｔｅｍ  ａｒｃｈｉｔｅｃｔｕｒｅ  ｅｖｏｌｕｔｉｏｎ−ｔｅｍｐｏｒａｒｙ  ｍｏｂｉｌｅ  ｓｕｂｓｃｒｉｂｅｒ  ｉｄｅｎｔｉｔｙ）又は乱数）を含む。
ＨＡＲＱ（ｈｙｂｒｉｄ  ａｕｔｏｍａｔｉｃ  ｒｅｐｅａｔ  ｒｅｑｕｅｓｔ）は、このような送信のために用いられる。
スケジューリングされたＵＬ送信で送信されるメッセージは、一般的にＭｓｇ３とする。
【００１８】
・Ｃｏｎｔｅｎｔｉｏｎ  Ｒｅｓｏｌｕｔｉｏｎ  Ｍｅｓｓａｇｅ（又はＭｓｇ４）
ｅＮＢは動作１０４で、競合解決メッセージを送信する。
競合解決メッセージは、さらに一般的にＭｓｇ４とする。
競合解決メッセージはＨＡＲＱを用い、Ｃ−ＲＮＴＩ（Ｍｓｇ３に含まれる場合）又は臨時Ｃ−ＲＮＴＩ（Ｃ−ＲＮＴＩがＭｓｇ３に含まれない場合）にアドレッシングされる。
競合解決メッセージの成功的（ｓｕｃｃｅｓｓｆｕｌ）なデコーディング時に、ＨＡＲＱフィードバックは自分のＵＥ  ＩＤ（又はＣ−ＲＮＴＩ）を探知するＵＥによってだけ送信される。
【００１９】
・無競合ＲＡ（ｃｏｎｔｅｎｔｉｏｎ−ｆｒｅｅ  ＲＡ：以下、ＣＦＲＡ）手続き
図２は、関連技術によるＣＦＲＡの手続きを説明するための図である。
ＣＦＲＡ手続きは、低い待機時間が要求されるハンドオーバー、Ｓｃｅｌｌ（ｓｅｃｏｎｄａｒｙ  ｃｅｌｌ）に対するタイミングアドバンス設定（ｔｉｍｉｎｇ  ａｄｖａｎｃｅ  ｅｓｔａｂｌｉｓｈｍｅｎｔ）などのようなシナリオに用いられる。
【００２０】
図２を参照すると、ｅＮＢは、動作２０１で、専用シグナリングで無競合ＲＡプリアンブルをＵＥに割り当てる。
ＵＥは、動作２０２で、割り当てられた無競合ＲＡプリアンブルを送信する。
ｅＮＢは動作２０３で、ＲＡ−ＲＮＴＩでアドレッシングされたＰＤＳＣＨを介してＲＡＲを送信する。
ＲＡＲは、ＲＡプリアンブル識別子及びタイミング整列情報を伝達する。
ＲＡＲは、さらにＵＬ認可を含むことができる。
ＲＡＲは、ＣＢＲＡ手続きと同様にＲＡＲウィンドウで送信される。
ＣＦＲＡ手続きは、ＲＡＲを受信した後、終了される。
【００２１】
無競合（すなわち、無競合プリアンブルが割り当てられる）ランダムアクセス手続きの間に、ＵＥは、ランダムアクセス手続きが完了するまで無競合ＲＡプリアンブルを送信及び再送信することに留意しなければならない。
【００２２】
≪問題説明≫
より高い周波数で、ビームフォーミングは、高い経路損失を補償するために必要である。
ＵＥ／ｇＮＢは、ビームフォーミングを用いて物理的ランダムアクセスチャンネル（ｐｈｙｓｉｃａｌ  ｒａｎｄｏｍ  ａｃｃｅｓｓ  ｃｈａｎｎｅｌ：ＰＲＡＣＨ）プリアンブル及びＭｓｇ３を送受信する必要がある。
ＧＮＢ／ＵＥは、ビームポミングを用いてＲＡＲ＆Ｍｓｇ４を送受信する必要がある。
ＵＥ及びｇＮＢは、それぞれのＴＸ／ＲＸビームが特定カバレッジ領域をカバーする多重送信（ＴＸ）／受信（ＲＸ）ビームをサポートすることができる。
ビームフォーミングが適用された（ｂｅａｍｆｏｒｍｅｄ）ＰＲＡＣＨプリアンブル送信の場合に、ＤＬ  ＴＸビーム（すなわち、ｇＮＢ  ＴＸビーム）は、ＰＲＡＣＨプリアンブル送信の間に、ＵＥによって示される。
受信したＰＲＡＣＨプリアンブル送信に基づいて、ｇＮＢは、Ｍｓｇ２を送信するためのＤＬ  ＴＸビームを識別する。
【００２３】
ＵＥは、ビームフォーミングシステムの場合に、何回送信されるＤＬ同期信号、基準信号又は放送チャンネルに基づいてＤＬ  ＴＸビームを識別する。
一つ又は多数のＤＬ  ＴＸビームは、各時間のオケージョン（ｏｃｃａｓｉｏｎ）ごとにＤＬ同期信号、基準信号、又は放送チャンネルを送信するために用いられる。
一つ又は多数のＤＬ  ＴＸビームを用いて同期信号（すなわち、１次同期信号（ｐｒｉｍａｒｙ  ｓｙｎｃｈｒｏｎｉｚａｔｉｏｎ  ｓｉｇｎａｌ：ＰＳＳ）／同期信号（ＳＳＳ）と１次放送チャンネル（ｐｒｉｍａｒｙ  ｂｒｏａｄｃａｓｔ  ｃｈａｎｎｅｌ：ＰＢＣＨ）を送信する時間オケージョンは、同期信号（ＳＳ）ブロックとする。
【００２４】
ネットワークは、周期的に多数のＳＳブロックを用いてＤＬ同期信号及びＰＢＣＨを送信する。
ＧＮＢは、ＳＳブロックに対する一つ又は多数のオケージョンと、ランダムアクセスチャンネル（ｒａｎｄｏｍ  ａｃｃｅｓｓ  ｃｈａｎｎｅｌ：ＲＡＣＨ）リソース（すなわち、時間／周波数リソースはさらにＰＲＡＣＨオケージョン又はＲＡオケージョンとする）のサブセット及び／又はＰＲＡＣＨプリアンブル（ＲＡプリアンブル又はランダムアクセスプリアンブルとする）インデックスのサブセット間の関連（ａｓｓｏｃｉａｔｉｏｎ）を設定する。
このような関連は、システム情報専用ＲＲＣシグナリング（例えば、ハンドオーバーコマンド）でシグナリングされたＲＡＣＨ設定で設定される。
ＵＥは、ＵＥがＤＬ同期信号を受信したＳＳブロックに対応するＰＲＡＣＨプリアンブル及び／又はＰＲＡＣＨリソース（又はＰＲＡＣＨオケージョン）を選択する。
ＳＧＳブロックと同様に、ｇＮＢは、一つ又は多数のＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）（ＣＳＩ−ＲＳは、ＴＸビームフォーミングを用いて送信される）と、ＰＲＡＣＨリソース（すなわち、時間／周波数リソースはさらにＰＲＡＣＨオケージョン又はＲＡオケージョンとする）のサブセット及び／又はＰＲＡＣＨプリアンブルインデックスのサブセット間の関連を設定する。
このような関連は、システム情報又は専用ＲＲＣシグナリング（例えば、ハンドオーバーコマンド）でシグナリングされたＲＡＣＨ設定で設定される。
ＵＥは、受信したＣＳＩ−ＲＳ信号に対応するＰＲＡＣＨプリアンブル及び／又はＰＲＡＣＨリソース（又はＰＲＡＣＨオケージョン）を選択する。
【００２５】
第１問題は、ＵＥが初期ＰＲＡＣＨプリアンブル送信の間に、ＰＲＡＣＨプリアンブル及び／又はＰＲＡＣＨリソース（又はＰＲＡＣＨオケージョン）選択のためにＳＳブロックを選択する方法である。
第２問題は、ＵＥがＰＲＡＣＨ再送信、すなわち、ＵＥがＰＲＡＣＨプリアンブルを送信した後にＲＡＲを成功裏（ｓｕｃｃｅｓｓｆｕｌ）に受信することができなかった場合にＰＲＡＣＨプリアンブル及び／又はＰＲＡＣＨリソース（又はＰＲＡＣＨオケージョン）選択のためにＳＳブロックを選択する方法である。
第３問題は、ＵＥがターゲットセルでＰＲＡＣＨ（再）送信のためのターゲットセルへのハンドオーバーの間に、ＰＲＡＣＨプリアンブル及び／又はＰＲＡＣＨリソース（又はＰＲＡＣＨオケージョン）選択のためにＳＳブロックを選択する方法であり、ここでハンドオーバーコマンドはすべてのＳＳブロックに対する競合基盤ＰＲＡＣＨプリアンブル及び／又はＰＲＡＣＨリソース（又はＰＲＡＣＨオケージョン）に付加して一つ以上のＳＳブロックに対する無競合ＰＲＡＣＨプリアンブル及び／又はＰＲＡＣＨリソース（又はＰＲＡＣＨオケージョン）を含む。
【００２６】
上述した情報は、ただ本発明の理解を助けるためだけ背景情報として提示される。上述したことのうちのいずれも本発明と関連して先行技術で適用することができるかに関してはどんな決定も行われなく、何らの主張も行われない。
【発明の概要】
【発明が解決しようとする課題】
【００２７】
本発明の一態様は、少なくとも上述した問題点及び／又は短所を解消し、少なくとも以下で説明される利点を提供することである。
したがって、本発明の一態様は、４世代（４Ｇ）システムより高いデータ速度をサポートする５世代（５Ｇ）通信システムを融合する通信方法及びシステムを提供することである。
【課題を解決するための手段】
【００２８】
本発明の第１態様によれば、端末機によってランダムアクセス（ＲＡ）プリアンブルを送信する方法が提供される。
前記方法は、基地局から同期信号（ＳＳ）ブロックと関連したＲＡリソースに関する設定情報を受信する段階と、前記基地局から一つ以上のＳＳブロックを受信する段階と、前記設定情報に基づいて前記一つ以上のＳＳブロック中で無競合ＲＡリソースが設定される少なくとも一つの適切なＳＳブロックが存在するか否かを判定する段階と、前記一つ以上の  ＳＳブロック中で無競合ＲＡリソースが設定される少なくとも一つの適切なＳＳブロックが存在する場合に無競合ＲＡリソースが設定される適切なＳＳブロックを選択する段階と、前記選択された適切なＳＳブロックに対応する第１ＲＡプリアンブルを選択する段階と、及び前記第１ＲＡプリアンブルを前記基地局に送信する段階と、を有する。
【００２９】
本発明の第２態様によれば、基地局によってランダムアクセス（ＲＡ）プリアンブルを受信する方法が提供される。
前記方法は、同期信号（ＳＳ）ブロックと関連したＲＡリソースに関する設定情報を端末機で送信する段階と、一つ以上のＳＳブロックを前記端末機で送信する段階と、及び前記端末機からＲＡプリアンブルを受信する段階と、を有する。
前記ＲＡプリアンブルは前記一つ以以上のＳＳブロック中で無競合ＲＡリソースが設定される少なくとも一つの適切なＳＳブロックが存在するか否かに基づいて前記一つ以上のＳＳブロック中で選択されたＳＳブロックに対応する。前記一つ以上のＳＳブロック中で無競合ＲＡリソースが設定される少なくとも一つの適切なＳＳブロックが存在すると、前記ＳＳブロックは無競合ＲＡリソースが設定される適切なＳＳブロックである。
【００３０】
本発明の第３態様によれば、ランダムアクセス（ＲＡ）プリアンブルを送信する端末機が提供される。
前記端末機は基地局から信号を受信し、信号を基地局に送信するように構成される送受信機及び前記送受信機と接続された制御機を含む。
前記制御機は前記送受信機が前記基地局から同期信号（ＳＳ）ブロックと関連したＲＡリソースに関する設定情報を受信することを制御し、前記送受信機が前記基地局から一つ以上のＳＳブロックを受信することを制御し、前記設定情報に基づいて前記一つ以上のＳＳブロック中で無競合ＲＡリソースが設定される少なくとも一つの適切なＳＳブロックが存在するか否かを判定し、前記一つ以上のＳＳブロック中で無競合ＲＡリソースが設定される少なくとも一つの適切なＳＳブロックが存在する場合に無競合ＲＡリソースが設定される適切なＳＳブロックを選択し、前記選択された適切なＳＳブロックに対応する第１ＲＡプリアンブルを選択し、前記送受信機が前記第１ＲＡプリアンブルを前記基地局に送信することを制御するように構成される。
【００３１】
本発明の第４態様によれば、ランダムアクセス（ＲＡ）プリアンブルを受信する基地局が提供される。
前記基地局は端末機から信号を受信し、信号を前記端末機に送信するように構成される送受信機及び前記送受信機と接続された制御機を含む。
前記制御機は前記送受信機が同期信号（ＳＳ）ブロックと関連したＲＡリソースに関する設定情報を前記端末機に送信することを制御し、前記送受信機が一つ以上のＳＳブロックを前記端末機に送信することを制御し、前記送受信機が前記端末機からＲＡプリアンブルを受信することを制御するように構成される。
前記ＲＡプリアンブルは前記一つ以上のＳＳブロック中で無競合ＲＡリソースが設定される少なくとも一つの適切なＳＳブロックが存在するか否かに基づいて前記一つ以上のＳＳブロック中で選択されたＳＳブロックに対応する。前記一つ以上のＳＳブロック中で無競合ＲＡリソースが設定される少なくとも一つの適切なＳＳブロックが存在すると、前記ＳＳブロックは無競合ＲＡリソースが設定される適切なＳＳブロックである。
【図面の簡単な説明】
【００３２】
【図１】関連技術によるＣＢＲＡの手続きを説明するための図である。
【図２】関連技術によるＣＦＲＡの手続きを説明するための図である。
【図３】関連技術によるＲＡプリアンブル送信及びＲＡＲウィンドウを示す図である。
【図４】本発明の実施形態によって高いレベルでのＵＥ動作を説明するためのフローチャートである。
【図５】本発明の実施形態による方法１に基づいたＲＡＣＨ送信及び再送信のためのＵＥ動作を説明するためのフローチャートである。
【図６】本発明の実施形態による方法２に基づいたＲＡＣＨ送信及び再送信のためのＵＥ動作を説明するためのフローチャートである。
【図７】本発明の実施形態による方法３に基づいたＲＡＣＨ送信及び再送信のためのＵＥ動作を説明するためのフローチャートである。
【図８】本発明の実施形態による方法４に基づいたＲＡＣＨ送信及び再送信のためのＵＥ動作を説明するためのフローチャートである。
【図９】本発明の実施形態による方法５に基づいたＲＡＣＨ送信及び再送信のためのＵＥ動作を説明するためのフローチャートである。
【図１０】本発明の実施形態による方法６に基づいたＲＡＣＨ送信及び再送信のためのＵＥ動作を説明するためのフローチャートである。
【図１１】本発明の実施形態による方法７に基づいたＲＡＣＨ送信及び再送信のためのＵＥ動作を説明するためのフローチャートである。
【図１２】本発明の実施形態による方法８に基づいたＲＡＣＨ送信及び再送信のためのＵＥ動作を説明するためのフローチャートである。
【図１３】本発明の実施形態による方法９に基づいたＲＡＣＨ送信及び再送信のためのＵＥ動作を説明するためのフローチャートである。
【図１４】本発明の実施形態による方法１０に基づいたＲＡＣＨ送信及び再送信のためのＵＥ動作を説明するためのフローチャートである。
【図１５】本発明の実施形態による方法１１に基づいたＲＡＣＨ送信及び再送信のためのＵＥ動作を説明するためのフローチャートである。
【図１６】本発明の実施形態による方法１２に基づいたＲＡＣＨ送信及び再送信のためのＵＥ動作を説明するためのフローチャートである。
【図１７】本発明の実施形態による方法１３に基づいたＲＡＣＨ送信及び再送信のためのＵＥ動作を説明するためのフローチャートである。
【図１８】本発明の実施形態による方法１４に基づいたＲＡＣＨ送信及び再送信のためのＵＥ動作を説明するためのフローチャートである。
【図１９】本発明の実施形態による方法１５に基づいたＲＡＣＨ送信及び再送信のためのＵＥ動作を説明するためのフローチャートである。
【図２０】本発明の実施形態による方法１６に基づいたＲＡＣＨ送信及び再送信のためのＵＥ動作を説明するためのフローチャートである。
【図２１】本発明の実施形態による方法１７に基づいたＲＡＣＨ送信及び再送信のためのＵＥ動作を説明するためのフローチャートである。
【図２２】本発明の実施形態による方法１８に基づいたＲＡＣＨ送信及び再送信のためのＵＥ動作を説明するためのフローチャートである。
【図２３】本発明の実施形態による方法１９に基づいたＲＡＣＨ送信及び再送信のためのＵＥ動作を説明するためのフローチャートである。
【図２４Ａ】本発明の実施形態による方法２０に基づいたＲＡＣＨ送信及び再送信のためのＵＥ動作を説明するためのフローチャートである。
【図２４Ｂ】本発明の実施形態による方法２０に基づいたＲＡＣＨ送信及び再送信のためのＵＥ動作を説明するためのフローチャートである。
【図２５】ＵＥがＲＡＲウィンドウの前にＭｓｇ１送信を一回だけ行う例を説明するための図である。
【図２６Ａ】本発明の多様な実施形態によるＲＡＲウィンドウの前に複数のＭｓｇ１送信が実行される一例を説明するための図である。
【図２６Ｂ】本発明の多様な実施形態によるＲＡＲウィンドウの前に複数のＭｓｇ１送信が実行される他の例を説明するための図である。
【図２７】本発明の実施形態によるオプション１に基づく最初に送信されたＭｓｇ１に対するＲＡＲ以前又はＲＡＲを待機する中の複数のＭｓｇ１送信を説明するための図である。
【図２８】本発明の実施形態によるオプション２に基づく最初に送信されたＭｓｇ１に対するＲＡＲ以前又はＲＡＲを待機する中の複数のＭｓｇ１送信を説明するための図である。
【図２９】本発明の実施形態によるオプション２に基づく最初に送信されたＭｓｇ１に対するＲＡＲ以前又はＲＡＲを待機する中の複数のＭｓｇ１送信を説明するための図である。
【図３０】本発明の実施形態によるオプション３に基づく最初に送信されたＭｓｇ１に対するＲＡＲ以前又はＲＡＲを待機する中の複数のＭｓｇ１送信を説明するための図である。
【図３１】本発明の実施形態によるＵＥの概略構成を示すブロック図である。
【図３２】本発明の実施形態によるＢＳの概略構成を示すブロック図である。
【発明を実施するための形態】
【００３３】
添付された図面を参照した以下の説明は請求範囲及び異意均等物により定義されるように本発明の多様な実施形態に対する包括的な理解を助けるために提供される。
これは理解を助けるための多様な特定詳細事項を含むが、これはただ例示的なことで見なされなければならない。
したがって、当業者は本明細書で説明した多様な実施形態の多様な変更及び修正が本発明の範囲及び思想を逸脱せず成ることができるということを認識するだろう。
さらに、よく知られた機能及び構成に対する説明は明瞭性及び簡潔性のために省略され得る。
【００３４】
以下の説明及び請求範囲で用いる用語及び単語は書誌的意味に限定されず、発明者によって本発明に対する明確で一貫された理解ができるようにするために用いられる。
したがって、本発明の多様な実施形態に対する次の説明は例示のみのために提供され、添付された請求範囲及びこの均等物により定義されたように本発明を制限するためではないことは当業者に明白ではなければならない。
【００３５】
単数形態“ａ”、“ａｎ”及び“ｔｈｅ”は文脈が明白に異なるように指示しなければ複数対象を含むということが理解されなければならない。
したがって、例えば、“一つの構成要素表面”に対する言及はこのような表面の一つ以上に対する言及を含む。
用語“実質的に”は引用された特性、パラメーター又は値が正確に達成される必要はないが、例えば許容誤差、測定誤差、測定正確度限界及び当業者に知られた他の因子を含む偏差又は変動は特性が提供しようとする效果を排除しない量で発生することができるということを意味する。
【００３６】
フローチャート（又はシーケンスダイヤグラム）のブロック及びフローチャートの組み合せがコンピュータープログラム命令語によって示されて実行され得るということが通常の技術者には知られている。
このようなコンピュータープログラム命令語は、汎用コンピューター、特殊目的コンピューター、又はプログラム可能なデータ処理装置のプロセッサ上にロードすることができる。
ロードしたプログラム命令語がプロセッサによって実行される時、これはフローチャートで説明された機能を行う手段を生成する。
コンピュータープログラム命令語が、専門コンピューター又はプログラム可能なデータ処理装置で使用可能なコンピューター判読可能メモリーに記憶され得るので、フローチャートに説明した機能を行う製品を生成することも可能である。
コンピュータープログラム命令語がコンピューター又はプログラム可能なデータ処理装置上にロードすることができるので、プロセスとして実行される時、これはフローチャートに説明された機能の動作を行うことができる。
【００３７】
フローチャートのブロックは、一つ以上の論理機能を具現する一つ以上の実行可能な命令語を含むモジュール、セグメント又はコードに対応することができるか、この一部に対応することもできる。
ある場合に、ブロックによって説明された機能は、羅列された手順と相違する手順で実行することもできる。
例えば、シーケンスで羅列された２つのブロックは同時に実行するか、逆順に実行することができる。
【００３８】
本説明で、単語“ユニット”、“モジュール”などは、例えば、機能又は動作を行うことができるＦＰＧＡ（ｆｉｅｌｄ−ｐｒｏｇｒａｍｍａｂｌｅ  ｇａｔｅ  ａｒｒａｙ）又はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）のようなソフトウェア構成要素又はハードウェア構成要素を指称する。
しかし、“ユニット”などはハードウェア又はソフトウェアで限定されない。
ユニットなどは、アドレス可能な記憶媒体に常住するか一つ以上のプロセッサを駆動するために構成することができる。
ユニットなどは、ソフトウェア構成要素、オブジェクト志向ソフトウェア構成要素、クラス構成要素、タスク構成要素、プロセス、機能、属性、手続き、サブルーチン、プログラムコードセグメント、ドライバー、ファームウエア、マイクロコード、回路、データ、データベース、データ構造、テーブル、アレイ又は変数を指称する。
構成要素及びユニットによって提供される機能は、より小さい構成要素及びユニットの組み合せであれば良く、より大きい構成要素及びユニットを構成するために他の構成要素及びユニットと組み合わせることもできる。
構成要素及びユニットは、保安マルチメディアカードでのデバイス又は一つ以上のプロセッサを駆動するように構成することができる。
【００３９】
詳細な説明の前に、本発明を理解するのに必要な用語又は定義が説明される。
しかし、このような用語は、非制限的方式に解釈されなければならない。
“基地局（ｂａｓｅ  ｓｔａｔｉｏｎ：以下、ＢＳ）”は、ユーザ装置（ｕｓｅｒ  ｅｑｕｉｐｍｅｎｔ：以下、ＵＥ）と通信するエンティティーで、ＢＳ、送受信基地局（ｂａｓｅ  ｔｒａｎｓｃｅｉｖｅｒ  ｓｔａｔｉｏｎ：ＢＴＳ）、ノードＢ（ＮＢ）、ｅＮＢ（ｅｖｏｌｖｅｄ  ＮＢ）、アクセスポイント（ａｃｃｅｓｓ  ｐｏｉｎｔ：ＡＰ）、５Ｇ  ＮＢ（５Ｇ  ＮＢ）又はｇＮＢとして指称され得る。
“ＵＥ”は、ＢＳと通信するエンティティーであり、ＵＥ、デバイス、移動局（ｍｏｂｉｌｅ  ｓｔａｔｉｏｎ：ＭＳ）、移動装置（ｍｏｂｉｌｅ  ｅｑｕｉｐｍｅｎｔ：ＭＥ）又は端末機として指称され得る。
【００４０】
図４は、本発明の実施形態によって高いレベルでのＵＥ動作を説明するためのフローチャートである。
図４で説明するＵＥの動作は、以下でさらに論議される多様な方法で詳しく論議されるであろう。
【００４１】
図４を参照すると、ＵＥは、先ず動作４１０でランダムアクセスチャンネル（ＲＡＣＨ）手続きに対してアクセス待機時間が問題であるか否かを判定する。
例えば、低い待機時間のアプリケーションに対し、ＵＥは、確かに自分のＲＡＣＨ手続きを速やかに完了しなければならなく、したがって、アクセス待機時間は確かに問題である。
しかし、ＵＥがレポートをＢＳに送信することに対してだけ心配しているが、メーターリングアプリケーション（ｍｅｔｅｒｉｎｇ  ａｐｐｌｉｃａｔｉｏｎ）などで同一の時間に対して心配していない一部アプリケーションでは、ＵＥは、アクセス待機時間が自分のネットワークエントリーに対する問題ではないと結論付けることができる。
【００４２】
アクセス待機時間が実際に重要である時、ＵＥは、可能な速やかにネットワークに進入しなければならなく、したがって、ＵＥは、動作４２０で適切なＳＳブロック上でＲＡＣＨを行うことに決定する（適切な定義及び選択される方法は以後で詳しく論議される）。
そうでなければ、ＵＥは、ｇＮＢによって送信されるすべての可能なＳＳブロックのうち、すなわち、（３ＧＰＰ仕様で与えられた周波数帯域に対して予め定義されたパラメーター  Ｌを介して示されるかシステム情報又はＲＲＣメッセージでｇＮＢによってシグナリングされるパラメータ‘ＳＳＢＰｏｓｉｔｉｏｎｓＩｎＢｕｒｓｔ’を介して示される）基地局によって送信されるすべてのＳＳブロックをスキャニングして測定した後、ＳＳブロックを見つけた後、動作４３０で決定する。
【００４３】
さらに、このような決定は、さらに動作（４２１又は４３１）でＵＥがすべてのＵＥ受信（Ｒｘ）ビームをスキャニングしなければならないか、又は一つのＲＸビームをすぐ選択することができるかをＵＥ側ビームフォーミングに拡張されることができ、動作（４２２又は４３２）でＵＥがこのような選択されたＵＥ  Ｒｘビームに対応する適切なＳＳブロックを見つける時に満足する。
ＲＡＣＨ手続き性能は、実際にＳＳブロックのこのような選択に依存する場合があるが、ほとんどの場合、ＵＥは、アクセス待機時間が問題になる場合にだけ、可能なかぎり速やかにネットワーク上にキャンピングすることに対してだけ心配するであろう。
【００４４】
適切なＳＳブロックを見つけるこのような手続きは全体（ｆｕｌｌ）ＵＥ具現で残しておくことができるかｇＮＢによってサポートされることができるとか明示的なしきい値を介して仕様に固定される。
ＲＳＲＰ（ｒｅｆｅｒｅｎｃｅ  ｓｉｇｎａｌｓ  ｒｅｃｅｉｖｅｄ  ｐｏｗｅｒ）しきい値がＵＥに示され得る多様な方法は、以下で論議される。
ＲＳＲＱ（ｒｅｆｅｒｅｎｃｅ  ｓｉｇｎａｌ  ｒｅｃｅｉｖｅｄ  ｑｕａｌｉｔｙ）測定値又はＳＩＮＲ（ｓｉｇｎａｌ−ｔｏ−ｉｎｔｅｒｆｅｒｅｎｃｅ−ｐｌｕｓ−ｎｏｉｓｅ  ｒａｔｉｏ）測定値がＲＡＣＨ手続きの場合に使用されると、しきい値は適切に示されてシグナリングされる必要がある。
容易にするために、残りの開示ではしきい値としてだけ説明する。
【００４５】
初期アクセスＲＡＣＨ手続きの場合に、ｇＮＢは次のメカニズムのうちの一つ又は組み合せによってＵＥにＳＳブロックを選択するためのしきい値を示すことができる。
【００４６】
１）仕様における固定。
２）ＲＭＳＩ（ｒｅｍａｉｎｉｎｇ  ｍｉｎｉｍｕｍ  ｓｙｓｔｅｍ  ｉｎｆｏｒｍａｔｉｏｎ）（例えば、ＳＩＢ  １）インディケーション。
３）ＲＡＣＨ設定インディケーション。
【００４７】
ｇＮＢは、このネットワークローディング、セルエッジ半径、配置条件などを通じる完全な制御を有する。
したがって、ｇＮＢは、ＲＭＳＩ又はＲＡＣＨ設定情報を介して明示的なインディケーションによって多様なＵＥに対する適切なＳＳブロック選択のために用いられたしきい値を変更することを決定する。
仕様で固定された値は、すべての状況で作業することができるか作業しないこともある。
さらに、公正性のために、ｇＮＢは、すべてのユーザにかけてこのようなしきい値を均一に決定し、したがって、明示的なインディケーションが望ましい場合がある。
このようなしきい値は、仕様に固定され得る（一例として）−１００ｄＢｍのような一部基準値に対して絶対値又は微分値として明示的に示される。
このような差等報告は、このようなしきい値が示される方式で僅かのビット数を減らすのに役に立つ。
【００４８】
多数のＳＳブロックが、主にコヒーレント組み合せ（ｃｏｈｅｒｅｎｔ  ｃｏｍｂｉｎｉｎｇ）及びより良いＰＢＣＨ復調の場合に提供される６ＧＨｚ以下システム（ｓｕｂ−６ＧＨｚ  ｓｙｓｔｅｍ）の場合に、ＵＥがどんなＲＡＣＨリソースを選択するかは重要ではない。
これは、ｇＮＢによってユーザに明示的に示される。
ＳＳブロックを選択するこのような問題は、特にＵＥがＲＡＣＨを行うためにｇＮＢの特定ビーム／方向／ＳＳ−ブロックを選択しなければならないｍｍＷａｖｅシステムの場合に重要である。
【００４９】
４）再送信に対して、
さらにｇＮＢ側で何か変更される場合にＲＡＲにもしきい値が示される。
初期アクセス手続きで示された同一のしきい値は、完全なＲＡＣＨ手続きの場合と、同一の場合に必要な任意の再送信のために継続用いられる。
その他に、ＲＡＲメッセージの明示的なインディケーションは、ＲＡＣＨ  プリアンブルの追加の再送信のために用いられるということをＵＥに示す。
これは、ｇＮＢ側からの柔軟性がチャンネル条件／ネットワークローディングなどに基づいてしきい値を動的に変更するようにする。
【００５０】
５）無競合（ｃｏｎｔｅｎｔｉｏｎ−ｆｒｅｅ：以下、ＣＦ）に対して、
ＣＳＩ−ＲＳ  ＲＡＣＨに対するハンドオーバーコマンドでしきい値を示す
６）ＣＦに対して、
このようなしきい値は仕様で固定される。
７）ＣＦに対して、
ターゲットｇＮＢ補助なしに完全なＵＥ具現。
８）ＣＦに対して、
専用ＵＥ特定シグナリングでしきい値を示す。
【００５１】
ＣＳＩ−ＲＳに基づいたＣＦ  ＲＡＣＨの場合に、相違するしきい値はＣＳＩ−ＲＳリソース／ビームに適切なことをＵＥに示す。
これはＣＳＩ−ＲＳビームがＳＳブロック基盤ビームとは反対であり、相違する設定、すなわち、より「広い設定」対「狭い設定」などを有することができるからである。
このような場合に、これに対する適切なしきい値は、さらに示されなければならない。
ＳＳブロックの場合と同様の上述した（６）及び（７）を除いて、ＣＦ場合に、ターゲットセルは用いられるしきい値を示さなければならない。
したがって、このようなしきい値は、ハンドオーバーコマンドで示される。
このようなハンドオーバーの場合に、次に論議されるように、ターゲットセルはＵＥに２個のしきい値、すなわち、
ａ）ＣＳＩ−ＲＳ基盤しきい値、及び
ｂ）ＳＳ基盤しきい値を示すことができる。
言い換えれば、ＳＳしきい値は、ビームフォーミング設計の差によってＣＳＩ−ＲＳしきい値と相違する。
【００５２】
９）ＣＦ場合に、
ＳＳ基盤しきい値に基づいたフォールバック（ｆａｌｌ  ｂａｃｋ）ＲＡＣＨは、ハンドオーバーコマンドで示される。
１０）ＣＦ場合に、
ＳＳ基盤しきい値に基づいたフォールバックＲＡＣＨは、ターゲットセルのＳＩを介して示される。
１１）ＣＦ場合に、
ＳＳ基盤しきい値に基づいたフォールバックＲＡＣＨは、仕様で固定される。
１２）ＣＦ場合に、
ＳＳ基盤しきい値に基づいたフォールバックＲＡＣＨは、ターゲットセルのＲＡＣＨ設定を介して示される。
【００５３】
オプション８−１１は、ハンドオーバー手続きの場合に行われるＣＦ  ＲＡＣＨの場合にこのようなＳＳ基盤しきい値を示す多様な手段を示す。
ＵＥがターゲットセルのシステム情報（ＳＩ）を判読すると、このようなしきい値はさらにＳＩを介して示される。
また、このようなしきい値は、ＲＡＣＨ設定がＵＥに提供される時にターゲットセルのＲＡＣＨ設定に含まれることができる。
【００５４】
１３）初期アクセスに対するＳＳしきい値は、ハンドオーバー／ＣＦ場合に、ＳＳしきい値と相違する。
初期アクセス及びハンドオーバーの場合に対するしきい値は、ネットワークに対する高速アクセス、又はより早いハンドオーバー及び低い割込み（ｉｎｔｅｒｒｕｐｔｉｏｎ）時間などをサポートするために相違するということを注目する。
例えば、０ｍｓハンドオーバー割込み時間を許容するために、ハンドオーバーの場合に控えめなしきい値（ｃｏｎｓｅｒｖａｔｉｖｅ  ｔｈｒｅｓｈｏｌｄ）が提供され得る。
【００５５】
１４）インディケーションがない場合、ＵＥは、初期アクセスに対する同一のしきい値及びＳＳ基盤メカニズムに対するハンドオーバーを仮定する。
明示的なインディケーションがＵＥに与えられない場合、ＵＥは、初期アクセスのような以前段階で与えられた利用可能なしきい値を用いる。
【００５６】
１５）ＣＳＩ−ＲＳ又はＳＳ−ブロックに基づくことができるビーム回復ＲＡＣＨの場合に、
同一である必要があるしきい値は、ＲＲＣ接続セットアップ手続きを介して（すなわち、ＲＲＣ再設定メッセージで）ＵＥに示される。
ビーム回復のためのこのようなしきい値は、ＵＥがＬ１メカニズムを介してビーム故障から速やかに回復させなければならないから他のしきい値と相違する。
ビーム回復がネットワークによって開示されると、しきい値は手続きがトリガーリングされる特定時間に適切なＵＥ特定シグナリング、すなわち、ダウンリンク制御情報（ＤＣＩ）又は媒体アクセス制御（ＭＡＣ）を介してＵＥに示される。
【００５７】
最上の、又は適切なＳＳブロックを選択するためのコンテクストをセッティングした後、下記のように利用可能な測定値を用いてＲＡＣＨ送信及び再送信のためのＵＥ動作が詳しく説明される。
【００５８】
≪方法１≫
図５は、本発明の実施形態による方法１に基づいたＲＡＣＨ送信及び再送信のためのＵＥ動作を説明するためのフローチャートである。
【００５９】
図５を参照すると、動作５０１で、ＵＥは、初期ＰＲＡＣＨプリアンブル送信のための最も高い信号品質を有するＳＳブロックを選択する。
ランダムアクセス手続きの間に、第１のＰＲＡＣＨプリアンブル送信は初期ＰＲＡＣＨプリアンブル送信とする。
信号品質は、ＰＢＣＨに対するＰＳＳ及び／又はＳＳＳ及び／又は復調基準信号（ｄｅｍｏｄｕｌａｔｉｏｎ  ｒｅｆｅｒｅｎｃｅ  ｓｉｇｎａｌ：ＤＭＲＳ）を搬送するＳＳブロックのリソースを介して測定される。
信号品質は、ＲＳＲＰ、ＲＳＲＱ、又は受信した信号強度インジケータ（ｒｅｃｅｉｖｅｄ  ｓｉｇｎａｌ  ｓｔｒｅｎｇｔｈ  ｉｎｄｉｃａｔｏｒ：ＲＳＳＩ）であれば良い。
一実施形態で、ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【００６０】
次に、動作５０２で、ＵＥは、選択されたＳＳブロックに対応するＰＲＡＣＨプリアンブル及び／又はＰＲＡＣＨリソース（又はＰＲＡＣＨオケージョン）を選択することによってＰＲＡＣＨプリアンブル（すなわち、Ｍｓｇ１）を送信する。
ＰＲＡＣＨプリアンブルは、ＲＡプリアンブル又はＲＡＣＨプリアンブルとして指称される。
【００６１】
ＳＳブロックがＰＲＡＣＨプリアンブルと関連付けられると、ＵＥは、選択されたＳＳブロックに対応するＰＲＡＣＨプリアンブルからＰＲＡＣＨプリアンブルをランダムに選択する。
ＵＥは、設定されたＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、設定されたＰＲＡＣＨリソース（又はＰＲＡＣＨオケージョン）から一つのＰＲＡＣＨリソース（又はＰＲＡＣＨオケージョン）をランダムに選択する。
多数の周波数分割多重ＰＲＡＣＨリソース（又はＰＲＡＣＨオケージョン）が同時に利用可能な場合、ＵＥは、選択された時間スロットで利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【００６２】
ＳＳブロックがＰＲＡＣＨリソース（又はＰＲＡＣＨオケージョン）と関連付けられると、ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
多数の周波数分割多重ＰＲＡＣＨリソース（又はＰＲＡＣＨオケージョン）が選択されたＳＳブロックに対応する同時に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一確率でＰＲＡＣＨプリアンブルをランダムに選択する。
【００６３】
ＳＳブロックがＰＲＡＣＨプリアンブル及びＰＲＡＣＨリソースと関連付けられると、ＵＥは、選択されたＳＳブロックに対応するＰＲＡＣＨプリアンブルからＰＲＡＣＨプリアンブルをランダムに選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
ＵＥは、選択されたＳＳブロックに対応する最も早く利用可能なＰＲＡＣＨリソース（又はＰＲＡＣＨオケージョン）を選択する。
選択されたＳＳブロックに対応する同時に多数の周波数分割多重ＰＲＡＣＨリソース（ＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（ＰＲＡＣＨオケージョン）をランダムに選択する。
【００６４】
ＰＲＡＣＨを送信する電力を計算するため、ＵＥは、選択されたＳＳブロックで受信した信号に基づいて経路損失を推定する。
Ｍｓｇ１を送信した後、動作５０３で、ＵＥは、Ｍｓｇ１送信に対応するＲＡＲ（すなわち、Ｍｓｇ２）が成功裏に受信されたか否かを判定する。
ＵＥが成功裏にＲＡＲを受信する場合、動作５０４でＭｓｇ１を再送信する必要がない。
ＵＥがＲＡＲを受信することができない場合、動作５０５でＵＥは、許容したＭｓｇ１送信の最大数を実行したか否かを判定する。
ＵＥが許容したＭｓｇ１送信の最大数をまだ実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、ＳＳブロックを再選択しない。
ＵＥは、初期送信のために選択されたことと同一のＳＳブロックを用いる。
ＳＳブロックは、ランダムアクセス手続きが開示される時に選択され、同一のＳＳブロックはランダムアクセス手続きの間に、Ｍｓｇ１のあらゆる（再）送信のためのＰＲＡＣＨプリアンブル及び／又はＰＲＡＣＨリソース（又はＰＲＡＣＨオケージョン）選択及び経路損失推定のために用いられる。
【００６５】
このような方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（ＰＲＡＣＨオケージョン）からＰＲＡＣＨプリアンブル及び／又はＰＲＡＣＨリソース（ＰＲＡＣＨオケージョン）を選択する。
【００６６】
≪キーポイント≫
ＵＥは、ランダムアクセス手続きが開示される時に最も高い信号品質を有するＳＳブロック（又はＣＳＩ−ＲＳ）を選択する。
ＵＥは、ランダムアクセス手続きの間に、Ｍｓｇ１のあらゆる（再）送信のためのＰＲＡＣＨプリアンブル及び／又はＰＲＡＣＨリソース（ＰＲＡＣＨオケージョン）選択及び経路損失推定のために選択されたＳＳブロック（又はＣＳＩ−ＲＳ）を用いる。
【００６７】
≪方法２≫
図６は、本発明の実施形態による方法２に基づいたＲＡＣＨ送信及び再送信のためのＵＥ動作を説明するためのフローチャートである。
【００６８】
図６を参照すれば、動作６０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックは、ＳＳブロックの信号品質がしきい値‘ＳＳＢｌｏｃｋＴｈｒｅｓｈｏｌｄ’より大きいか同一である場合に適切である。
ＳＳＢｌｏｃｋＴｈｒｅｓｈｏｌｄは、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
多数のＳＳブロックが適切な場合、ＵＥは、次のような方式のうちの一つでＳＳブロックを選択することができる。
【００６９】
ＵＥは、適切なＳＳブロック中で最も高い信号品質を有するＳＳブロックを選択する。
ＵＥは、適切なＳＳブロック中で時間的に最も早く利用可能なＰＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
ＵＥは、ネットワークから（ＳＩ及び／又はハンドオーバーコマンド及び／又は専用ＲＲＣシグナリングでＰＲＡＣＨ設定の一部としてシグナリングされる）インディケーションに基づいて次の方法のうちの一つを選択する。
すなわち、適切なＳＳブロック中で最も高い信号品質を有するＳＳブロックを選択するか、適切なＳＳブロック中で最も早く利用可能なＲＡＣＨリソース（又はＰＲＡＣＨオケージョン）に対応するＳＳブロックを選択するか、適切なＳＳブロック中で同一の確率でＳＳブロックのうちのいずれか一つをランダムに選択する。
【００７０】
次に、動作６０２で、ＵＥは、選択されたＳＳブロックに対応するＰＲＡＣＨプリアンブル及び／又はＰＲＡＣＨリソース（又はＰＲＡＣＨオケージョン）を選択することによってＰＲＡＣＨプリアンブル（すなわち、Ｍｓｇ１）を送信する。
ＳＳブロックがＰＲＡＣＨプリアンブルと関連付けられると、ＵＥは、選択されたＳＳブロックに対応するＰＲＡＣＨプリアンブルからＰＲＡＣＨプリアンブルをランダムに選択する。
ＵＥは、設定されたＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、設定されたＰＲＡＣＨリソース（又はＰＲＡＣＨオケージョン）から一つのＰＲＡＣＨリソース（又はＰＲＡＣＨオケージョン）をランダムに選択する。
時間内に多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【００７１】
ＳＳブロックがＰＲＡＣＨリソース（又はＰＲＡＣＨオケージョン）と関連付けられると、ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
選択されたＳＳブロックに対応する多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【００７２】
ＳＳブロックがＰＲＡＣＨプリアンブル及びＰＲＡＣＨリソースと関連付けられると、ＵＥは、選択されたＳＳブロックに対応するＰＲＡＣＨプリアンブルからＰＲＡＣＨプリアンブルをランダムに選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース  （又はＰＲＡＣＨオケージョン）から一つのＲＰＡＣＨリソース（ＰＲＡＣＨオケージョン）をランダムに選択する。
選択されたＳＳブロックに対応する多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（ＰＲＡＣＨオケージョン）をランダムに選択する。
【００７３】
ＰＲＡＣＨを送信するための電力を計算するため、ＵＥは、選択されたＳＳブロックで受信した信号に基づいて経路損失を推定する。
Ｍｓｇ１を送信した後、動作６０３で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作６０４でＭｓｇ１を再送信する必要がない。
ＵＥがＲＡＲを受信することができない場合、動作６０５で、ＵＥは、ＵＥが許容したＭｓｇ１送信の最大数を実行したか否かを判断する。
ＵＥが許容したＭｓｇ１送信の最大数をまだ実行しない場合、ＵＥは、Ｍｓｇ１を再送信する。
ＵＥが許容したＭｓｇ１  送信の最大数を実行した場合、ＵＥは、Ｍｓｇ１を再送信しない。
再送信の間に、ＵＥは、ＳＳブロックを再選択しない。
ＵＥは、初期送信のために選択されたことと同一のＳＳブロックを用いる。
ランダムアクセス手続きが開示される時に適切なＳＳブロックが選択され、ランダムアクセス手続きの間に、Ｍｓｇ１のあらゆる（再）送信のためのＰＲＡＣＨプリアンブル及び／又はＰＲＡＣＨリソース（ＰＲＡＣＨオケージョン）選択及び経路損失推定のために同一のＳＳブロックが用いられる。
適切なＳＳブロックが見つけられない場合に、ＵＥは、後述されるように再送信の間に、適切なＳＳブロックを再選択する。
【００７４】
上述した手続きで、ＵＥは、任意の適切なＳＳブロックを見つけることができないことがある。
この場合、ＵＥは、次のいずれかを行う。
ＵＥは、Ｍｓｇ１を送信しない。
付加的に、ＵＥは、アイドル（ｉｄｌｅ）／非活性状態に対するセル再選択及び接続状態に対するＲＬＦ（すなわち、接続再設定）をトリガーリングする。
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つける場合にＳＳブロックを変更する。
一実施形態で、ＵＥは、‘Ｎ’番の数の間の適切なＳＳブロックを選択せずＭｓｇ１を送信するように許容する。
パラメーターＮは、ネットワークによって事前定義されるか、シグナリングされる。
【００７５】
ＵＥが適切なＳＳブロックを見つけるまで、ＵＥは、Ｍｓｇ１送信を遅延させる。
一実施形態で、ＵＥは、最大時間周期‘Ｔ’の間、Ｍｓｇ１送信を遅延させ得る。
時間周期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了された後、ＵＥは、アイドル／非活性状態に対するセル再選択及び接続状態に対するＲＬＦ（すなわち、接続再設定）をトリガーリングする。
代案で、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
【００７６】
この方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（ＰＲＡＣＨオケージョン）を選択する。
【００７７】
≪キーポイント≫
１）ＵＥは、ランダムアクセス手続きが開示される時の適切な（信号品質＞ＳＳＢｌｏｃｋＴｈｒｅｓｈｏｌｄ）ＳＳブロック（又はＣＳＩ−ＲＳ）を選択する。
ＵＥは、ランダムアクセス手続きの間に、Ｍｓｇ１のあらゆる（再）送信に対するＰＲＡＣＨプリアンブル及び／又はＰＲＡＣＨリソース（ＰＲＡＣＨオケージョン）選択及び経路損失推定のために選択されたＳＳブロック（又はＣＳＩ−ＲＳ）を用いる。
２）適切なＳＳブロックが見つけられない場合、ＵＥは、最も高い信号品質を有するＳＳブロック（又はＣＳＩ−ＲＳ）を選択する。
３）適切なＳＳブロック（又はＣＳＩ−ＲＳ）が以前送信のために使用されなく、以前送信のためのＳＳブロック（又はＣＳＩ−ＲＳ）が相変らず適切ではなく、他の適切なＳＳブロック（又はＣＳＩ−ＲＳ）が見つけられると、ＵＥは、ＳＳブロック（又はＣＳＩ−ＲＳ）を変更する。
４）適切なＳＳブロック（又はＣＳＩ−ＲＳ）が見つけられない場合、ＵＥは、セルを再選択する。
５）適切なＳＳブロック（又はＣＳＩ−ＲＳ）が見つけられるまで、ＵＥは、Ｍｓｇ１送信を遅延させる。
６）適切なＳＳブロック（又はＣＳＩ−ＲＳ）が見つけられない場合、ＵＥは、定義された時間周期の間に、Ｍｓｇ１送信を遅延させる。
適切なＳＳブロック（又はＣＳＩ−ＲＳ）がその時間周期後にも見つけられない場合、ＵＥは、アイドル／非活性状態に対するセル再選択及び接続状態に対するＲＬＦ（すなわち、接続再設定）をトリガーリングする。
【００７８】
≪方法３≫
図７は、本発明の実施形態による方法３に基づいたＲＡＣＨ送信及び再送信のためのＵＥ動作を説明するためのフローチャートである。
【００７９】
図７を参照すると、動作７０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
一実施形態で、ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【００８０】
次に、動作７０２で、ＵＥは、選択されたＳＳブロックに対応するＰＲＡＣＨプリアンブル及び／又はＰＲＡＣＨリソース（又はＰＲＡＣＨオケージョン）を選択することによってＰＲＡＣＨプリアンブル（すなわち、Ｍｓｇ１）を送信する。
【００８１】
ＳＳブロックがＰＲＡＣＨプリアンブルと関連付けられると、ＵＥは、選択されたＳＳブロックに対応するＰＲＡＣＨプリアンブルからＰＲＡＣＨプリアンブルをランダムに選択する。
ＵＥは、設定されたＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、設定されたＰＲＡＣＨリソース（又はＰＲＡＣＨオケージョン）から一つのＰＲＡＣＨリソース（又はＰＲＡＣＨオケージョン）をランダムに選択する。
多数の周波数分割多重ＰＲＡＣＨリソース（又はＰＲＡＣＨオケージョン）が同時に利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【００８２】
ＳＳブロックがＰＲＡＣＨリソース（又はＰＲＡＣＨオケージョン）と関連付けられると、ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【００８３】
ＳＳブロックがＰＲＡＣＨプリアンブル及びＰＲＡＣＨリソースと関連付けられると、ＵＥは、選択されたＳＳブロックに対応するＰＲＡＣＨプリアンブルからＰＲＡＣＨプリアンブルをランダムに選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
選択されたＳＳブロックに対応する多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（ＰＲＡＣＨオケージョン）をランダムに選択する。
【００８４】
ＰＲＡＣＨを送信する電力を計算するため、ＵＥは、選択されたＳＳブロックで受信した信号に基づいて経路損失を推定する。
Ｍｓｇ１を送信した後、動作７０３で、ＵＥは、Ｍｓｇ１送信に対応するＲＡＲ（すなわち、Ｍｓｇ２）が成功裏に受信されたか否かを判定する。
ＵＥが成功裏にＲＡＲを受信する場合、動作７０４でＭｓｇ１を再送信する必要がない。
ＵＥがＲＡＲを受信することができない場合、動作７０５でＵＥは、ＵＥが許容したＭｓｇ１送信の最大数を実行したか否かを判断する。
ＵＥが許容したＭｓｇ１送信の最大数をまだ実行しない場合、ＵＥは、Ｍｓｇ１を再送信する。
ＵＥが許容したＭｓｇ１送信の最大数を実行した場合、ＵＥは、Ｍｓｇ１を再送信しない。
【００８５】
再送信の間に、ＵＥは、以前Ｍｓｇ１送信のために選択されたＳＳブロックの信号品質が動作７０６でしきい値“ＳＳＢｌｏｃｋＴｈｒｅｓｈｏｌｄ”より大きいか同一であるかを判断する。
以前Ｍｓｇ１送信のために選択されたＳＳブロックの信号品質がしきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質がしきい値‘ＳＳＢｌｏｃｋＴｈｒｅｓｈｏｌｄ’より小さい場合、ＵＥは、動作７０７でＳＳブロックを再選択する。
ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【００８６】
このような方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【００８７】
≪キーポイント≫
ＵＥは、ランダムアクセス手続きが開示される時、最も高い信号品質を有するＳＳブロック（又はＣＳＩ−ＲＳ）を選択する。
以前送信のＳＳブロック（又はＣＳＩ−ＲＳ）が最も高い信号品質を有するＳＳブロック（又はＣＳＩ−ＲＳ）が再送信の間に選択される最近測定に基づいてしきい値の以下であれば、ＵＥは、再送信の間に、ＳＳブロック（又はＣＳＩ−ＲＳ）を再選択する。
ＵＥは、ランダムアクセス手続きの間のＭｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【００８８】
≪方法４≫
図８は、本発明の実施形態による方法４に基づいたＲＡＣＨ送信及び再送信のためのＵＥ動作を説明するためのフローチャートである。
【００８９】
図８を参照すると、動作８０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
一実施形態で、ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【００９０】
次に、動作８０２で、ＵＥは、選択されたＳＳブロックに対応するＰＲＡＣＨプリアンブル及び／又はＰＲＡＣＨリソース（又はＰＲＡＣＨオケージョン）を選択することによってＰＲＡＣＨプリアンブル（すなわち、Ｍｓｇ１）を送信する。
【００９１】
ＳＳブロックがＰＲＡＣＨプリアンブルと関連付けられると、ＵＥは、選択されたＳＳブロックに対応するＰＲＡＣＨプリアンブルからＰＲＡＣＨプリアンブルをランダムに選択する。
ＵＥは、設定されたＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、設定されたＰＲＡＣＨリソース（又はＰＲＡＣＨオケージョン）から一つのＲＰＡＣＨリソース（又はＰＲＡＣＨオケージョン）をランダムに選択する。
多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【００９２】
ＳＳブロックがＰＲＡＣＨリソース（又はＰＲＡＣＨオケージョン）と関連付けられると、ＵＥは、選択されたＳＳブロックに対応するＰＲＡＣＨリソース（又はＰＲＡＣＨオケージョン）から最も早く可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＲＰＡＣＨリソース（又はＰＲＡＣＨオケージョン）をランダムに選択する。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。ＵＥは、ＰＲＡＣＨプリアンブルの設定されたセットから同一の確率でＰＲＡＣＨプリアンブルをランダムに選択する。
【００９３】
ＳＳブロックがＰＲＡＣＨプリアンブル（又はＰＲＡＣＨオケージョン）及びＰＲＡＣＨリソースと関連付けられると、ＵＥは、選択されたＳＳブロックに対応するＰＲＡＣＨプリアンブルからＰＲＡＣＨプリアンブルをランダムに選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＲＰＡＣＨリソース（又はＰＲＡＣＨオケージョン）をランダムに選択する。
選択されたＳＳブロックに対応する時間内に多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【００９４】
ＰＲＡＣＨを送信する電力を計算するため、ＵＥは、選択されたＳＳブロックで受信した信号に基づいて経路損失を推定する。
Ｍｓｇ１を送信した後、動作８０３で、ＵＥは、Ｍｓｇ１送信に対応するＲＡＲ（すなわち、Ｍｓｇ２）が成功裏に受信されたか否かを判定する。
ＵＥが成功裏にＲＡＲを受信する場合、動作８０４でＭｓｇ１を再送信する必要がない。
ＵＥがＲＡＲを受信することができない場合、動作８０５でＵＥは、ＵＥが許容したＭｓｇ１送信の最大数を実行したか否かを判断する。
ＵＥが許容したＭｓｇ１送信の最大数をまだ実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、以前Ｍｓｇ１送信のために選択されたＳＳブロックの信号品質が動作８０６で最近測定に基づいて最も高い信号品質を有するかを判断する。
以前Ｍｓｇ１送信のために選択されたＳＳブロックの信号品質が最も高い信号品質を有すると、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質が最も高い信号品質を有しなければ、ＵＥは、動作８０７でＳＳブロックを再選択する。
ＵＥは、ｇＮＢによって送信されたすべてのＳＳブロックのうちの最も高い信号品質を有するＳＳブロックを選択する。
他の実施形態で、ＵＥは、測定が利用可能なすべてのＳＳブロックのうちの最も高い信号品質を有するＳＳブロックを選択する。
【００９５】
このような方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【００９６】
≪キーポイント≫
ＵＥは、ランダムアクセス手続きが開示される時、最も高い信号品質を有するＳＳブロック（又はＣＳＩ−ＲＳ）を選択する。
以前送信のＳＳブロック（又はＣＳＩ−ＲＳ）が最も高い信号品質を有するＳＳブロック（又はＣＳＩ−ＲＳ）が再送信の間に、選択される最近測定に基づいて最も高い信号品質を有しなければ、ＵＥは、再送信の間にＳＳブロック（又はＣＳＩ−ＲＳ）を再選択する。
ＵＥは、ランダムアクセス手続きの間、Ｍｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【００９７】
≪方法５≫
図９は、本発明の実施形態による方法５に基づいたＲＡＣＨ送信及び再送信のためのＵＥ動作を説明するためのフローチャートである。
【００９８】
図９を参照すれば、動作９０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックはＳＳブロックの信号品質がしきい値‘ＳＳＢｌｏｃｋＴｈｒｅｓｈｏｌｄ’より大きいか同一の場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
多数のＳＳブロックが適切な場合、ＵＥは、次のような方式のうちの一つでＳＳブロックを選択することができる。
【００９９】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０１００】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０１０１】
次に、動作９０２で、ＵＥは、選択されたＳＳブロックに対応するＰＲＡＣＨプリアンブル及び／又はＰＲＡＣＨリソース（又はＰＲＡＣＨオケージョン）を選択することによってＰＲＡＣＨプリアンブル（すなわち、Ｍｓｇ１）を送信する。
【０１０２】
ＳＳブロックがＰＲＡＣＨプリアンブルと関連付けられると、ＵＥは、選択されたＳＳブロックに対応するＰＲＡＣＨプリアンブルからＰＲＡＣＨプリアンブルをランダムに選択する。
ＵＥは、設定されたＰＲＡＣＨリソース（又はＰＲＡＣＨオケージョン）から最も早く利用可能なＰＲＡＣＨリソース（又はＰＲＡＣＨオケージョン）を選択する。
実施形態でＵＥは、設定されたＰＲＡＣＨリソース（又はＰＲＡＣＨオケージョン）から一つのＰＲＡＣＨリソース（又はＰＲＡＣＨオケージョン）をランダムに選択する。
多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【０１０３】
ＳＳブロックがＰＲＡＣＨリソース（又はＰＲＡＣＨオケージョン）と関連付けられると、ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
選択されたＳＳブロックに対応する時間内に多数の周波数分割多重ＰＲＡＣＨリソース（又はＰＲＡＣＨオケージョン）が利用可能な場合、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１０４】
ＳＳブロックがＰＲＡＣＨプリアンブル及びＰＲＡＣＨリソース（又はＰＲＡＣＨオケージョン）と関連付けられると、ＵＥは、選択されたＳＳブロックに対応するＰＲＡＣＨプリアンブルからＰＲＡＣＨプリアンブルをランダムに選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
選択されたＳＳブロックに対応する時間内に多数の周波数分割多重ＰＲＡＣＨリソース（又はＰＲＡＣＨオケージョン）が利用可能な場合、ＵＥは、利用可能な周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
【０１０５】
ＰＲＡＣＨを送信するための電力を計算するため、ＵＥは、選択されたＳＳブロックで受信した信号に基づいて経路損失を推定する。
Ｍｓｇ１を送信した後、動作９０３で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作９０４でＭｓｇ１を再送信する必要がない。
ＵＥがＲＡＲを受信することができない場合、動作９０５で、ＵＥは、ＵＥが許容したＭｓｇ１送信の最大数を実行したか否かを判断する。
ＵＥが許容したＭｓｇ１送信の最大数をまだ実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、以前Ｍｓｇ１送信のために選択されたＳＳブロックの信号品質が動作９０６でしきい値“ＳＳＢｌｏｃｋＴｈｒｅｓｈｏｌｄ”より大きいか同一であるかを判断する。
以前Ｍｓｇ１送信のために選択されたＳＳブロックの信号品質が、しきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質がしきい値‘ＳＳＢｌｏｃｋＴｈｒｅｓｈｏｌｄ’より小さい場合、ＵＥは、動作９０７でＳＳブロックを再選択する。
ＵＥが初期Ｍｓｇ１送信のためにＵＥブロックを選択したことと同一の方式でＵＥは、適切なＳＳブロックを選択する。
代案的な実施形態で再送信の間に端末は、初期送信と同一の方式でＳＳブロックを選択することができる。
【０１０６】
上述した手続きで、ＵＥは、任意の適切なＳＳブロックを見つけることができないことがある。
この場合、ＵＥは、次のいずれかを行う。
ＵＥは、Ｍｓｇ１を送信しない。
付加的に、ＵＥは、アイドル／非活性状態に対するセル再選択及び接続状態に対するＲＬＦ（すなわち、接続再設定）をトリガーリングする。
【０１０７】
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つけられる場合にＳＳブロックを変更する。
一実施形態で、ＵＥは、‘Ｎ’番の数の間の適切なＳＳブロックを選択せずＭｓｇ１を送信するように許容する。
パラメーターＮは、ネットワークによって事前定義されるか、シグナリングされる。
【０１０８】
ＵＥが適切なＳＳブロックを見つけられるまで、ＵＥは、Ｍｓｇ１送信を遅延させる。
一実施形態で、ＵＥは、最大時間周期‘Ｔ’の間、Ｍｓｇ１送信を遅延させ得る。
時間周期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了された後、ＵＥは、アイドル／非活性状態に対するセル再選択及び接続状態に対するＲＬＦ（すなわち、接続再設定）をトリガーリングする。
代案として、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
【０１０９】
この方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１１０】
≪キーポイント≫
１）ＵＥは、ランダムアクセス手続きが開示される時の適切なＳＳブロック（又はＣＳＩ−ＲＳ）を選択する。
以前送信のＳＳブロック（又はＣＳＩ−ＲＳ）が適切なＳＳブロック（又はＣＳＩ−ＲＳ）の再送信の間に選択される最近測定に基づいてしきい値以下であれば、ＵＥは、再送信の間にＳＳブロック（又はＣＳＩ−ＲＳ）を再選択する。
ＵＥは、ランダムアクセス手続きの間のＭｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【０１１１】
２）適切なＳＳブロックが見つけられない場合、ＵＥは、最も高い信号品質を有するＳＳブロック（又はＣＳＩ−ＲＳ）を選択する。
３）適切なＳＳブロック（又はＣＳＩ−ＲＳ）が以前送信のために使用されなく、以前送信のためのＳＳブロック（又はＣＳＩ−ＲＳ）が相変らず適切ではなく、他の適切なＳＳブロック（又はＣＳＩ−ＲＳ）が見つけられると、ＵＥは、ＳＳブロック（又はＣＳＩ−ＲＳ）を変更する。
４）適切なＳＳブロック（又はＣＳＩ−ＲＳ）が見つけられない場合、ＵＥは、セルを再選択する。
５）適切なＳＳブロック（又はＣＳＩ−ＲＳ）が見つけられるまで、ＵＥは、Ｍｓｇ１送信を遅延させる。
６）適切なＳＳブロック（又はＣＳＩ−ＲＳ）が見つけられない場合、ＵＥは、定義された時間周期の間、Ｍｓｇ１送信を遅延させる。
適切なＳＳブロック（又はＣＳＩ−ＲＳ）がその時間周期後にも見つけられない場合、ＵＥは、アイドル／非活性状態に対するセル再選択及び接続状態に対するＲＬＦ（すなわち、接続再設定）をトリガーリングする。
【０１１２】
≪方法６≫
図１０は、本発明の実施形態による方法６に基づいたＲＡＣＨ送信及び再送信のためのＵＥ動作を説明するためのフローチャートである。
【０１１３】
図１０を参照すると、動作１００１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックは、ＳＳブロックの信号品質がしきい値‘ＳＳＢｌｏｃｋＴｈｒｅｓｈｏｌｄ’より大きいか同一の場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対する  ＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
多数のＳＳブロックが適切な場合、ＵＥは、次のような方式の中の一つでＳＳブロックを選択することができる。
【０１１４】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０１１５】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択することができる。
【０１１６】
次に、動作１００２で、ＵＥは、選択されたＳＳブロックに対応するＰＲＡＣＨプリアンブル及び／又はＰＲＡＣＨリソース（又はＰＲＡＣＨオケージョン）を選択することによってＰＲＡＣＨプリアンブル（すなわち、Ｍｓｇ１）を送信する。
【０１１７】
ＳＳブロックがＰＲＡＣＨプリアンブルと関連付けられると、ＵＥは、選択されたＳＳブロックに対応するＰＲＡＣＨプリアンブルからＰＲＡＣＨプリアンブルをランダムに選択する。
ＵＥは、設定されたＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、設定されたＰＲＡＣＨリソース（又はＰＲＡＣＨオケージョン）から一つのＰＲＡＣＨリソース（又はＰＲＡＣＨオケージョン）をランダムに選択する。
時間内に多数のＰＲＡＣＨリソース（又はＰＲＡＣＨオケージョン）が利用可能な場合、ＵＥは、利用可能なＰＲＡＣＨリソース（又はＰＲＡＣＨオケージョン）から同一の確率で一つのＰＲＡＣＨリソース（又はＰＲＡＣＨオケージョン）をランダムに選択する。
【０１１８】
ＳＳブロックがＰＲＡＣＨリソース（又はＰＲＡＣＨオケージョン）と関連付けられると、ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
選択されたＳＳブロックに対応する時間内に多数の周波数分割多重ＰＲＡＣＨリソース（又はＰＲＡＣＨオケージョン）が利用可能な場合、ＵＥは、利用可能なＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１１９】
ＳＳブロックがＰＲＡＣＨプリアンブル及びＰＲＡＣＨリソース（又はＰＲＡＣＨオケージョン）と関連付けられると、ＵＥは、選択されたＳＳブロックに対応するＰＲＡＣＨプリアンブルからＰＲＡＣＨプリアンブルをランダムに選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する。
選択されたＳＳブロックに対応する時間内に多数のＰＲＡＣＨリソース（又はＰＲＡＣＨオケージョン）が利用可能な場合、ＵＥは、利用可能なＰＲＡＣＨリソース（又はＰＲＡＣＨオケージョン）から同一の確率で一つのＰＲＡＣＨリソース（又はＰＲＡＣＨオケージョン）をランダムに選択する。
【０１２０】
ＰＲＡＣＨを送信するための電力を計算するため、ＵＥは、選択されたＳＳブロックで受信した信号に基づいて経路損失を推定する。
Ｍｓｇ１を送信した後、動作１００３で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１００４でＭｓｇ１を再送信する必要がない。
ＵＥがＲＡＲを受信することができない場合、動作１００５で、ＵＥは、ＵＥが許容したＭｓｇ１送信の最大数を実行したか否かを判断する。
ＵＥが許容したＭｓｇ１送信の最大数をまだ実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、以前Ｍｓｇ１送信のために選択されたＳＳブロックの信号品質が動作１００６で利用可能な又はすべてのＳＳブロック測定中で最上の信号品質を有するか否かを判断する。
以前Ｍｓｇ１送信のために選択されたＳＳブロックの信号品質が利用可能な又はすべてのＳＳブロック測定中で最上の信号品質を有すると、ＵＥは、ＳＳブロックを再選択しない。
そうでない場合、動作１００７で、ＵＥが初期Ｍｓｇ１送信のためにＳＳブロックを選択したことと同一の方式でＵＥは、適切なＳＳブロックを再選択する。
代案的な実施形態で、再送信の間に、以前Ｍｓｇ１送信のために選択されたＳＳブロックの信号品質が‘ＳＳＢｌｏｃｋＴｈｒｅｓｈｏｌｄ’を超過せず、利用可能な又はすべてのＳＳブロック測定中で最上の信号品質を有しなければ、ＵＥが初期Ｍｓｇ１送信のためにＳＳブロックを選択したことと同一の方式でＵＥは、ＳＳブロックを再選択する。
そうでない場合、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
【０１２１】
上述した手続きで、ＵＥは、任意の適切なＳＳブロックを見つけることができないことがある。
この場合、ＵＥは、次のいずれかを行う。
【０１２２】
ＵＥは、Ｍｓｇ１を送信しない。
付加的に、ＵＥは、アイドル／非活性状態に対するセル再選択及び接続状態に対するＲＬＦ（すなわち、接続再設定）をトリガーリングする。
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つけられる場合にＳＳブロックを変更する。
一実施形態で、ＵＥは、‘Ｎ’番の数の間の適切なＳＳブロックを選択せずＭｓｇ１を送信するように許容する。
パラメーターＮは、ネットワークによって事前定義されるか、シグナリングされる。
【０１２３】
ＵＥが適切なＳＳブロックを見つけられるまで、ＵＥは、Ｍｓｇ１送信を遅延させる。
一実施形態で、ＵＥは、最大時間周期‘Ｔ’の間、Ｍｓｇ１送信を遅延させ得る。
時間周期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了された後、ＵＥは、アイドル／非活性状態に対するセル再選択及び接続状態に対するＲＬＦ（すなわち、接続再設定）をトリガーリングする。
代案として、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
【０１２４】
この方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１２５】
≪キーポイント≫
１）ＵＥは、ランダムアクセス手続きが開示される時の適切なＳＳブロック（又はＣＳＩ−ＲＳ）を選択する。
以前送信のＳＳブロック（又はＣＳＩ−ＲＳ）が利用可能なＳＳブロック（又はＣＳＩ−ＲＳ）測定の中で最上ではない場合、ＵＥは、再送信の間にＳＳブロック（又はＣＳＩ−ＲＳ）を再選択する。
ＵＥは、ランダムアクセス手続きの間に、Ｍｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【０１２６】
２）ＵＥは、ランダムアクセス手続きが開示される時の適切なＳＳブロック（又はＣＳＩ−ＲＳ）を選択する。
以前Ｍｓｇ１送信のために選択されたＳＳブロックの信号品質が‘ＳＳＢｌｏｃｋＴｈｒｅｓｈｏｌｄ’上になく、利用可能な又はすべてのＳＳブロック測定中で最上の信号品質を有しなければ、ＵＥは、再送信の間にＳＳブロック（又はＣＳＩ−ＲＳ）を再選択する。
ＵＥは、ランダムアクセス手続きの間に、Ｍｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【０１２７】
３）適切なＳＳブロックが見つけられない場合、ＵＥは、最も高い信号品質を有するＳＳブロック（又はＣＳＩ−ＲＳ）を選択する。
４）適切なＳＳブロック（又はＣＳＩ−ＲＳ）が以前送信のために使用されなく、以前送信のためのＳＳブロック（又はＣＳＩ−ＲＳ）が相変らず適切ではなく、他の適切なＳＳブロック（又はＣＳＩ−ＲＳ）が見つけられると、ＵＥは、ＳＳブロック（又はＣＳＩ−ＲＳ）を変更する。
５）適切なＳＳブロック（又はＣＳＩ−ＲＳ）が見つけられない場合、ＵＥは、セルを再選択する。
６）適切なＳＳブロック（又はＣＳＩ−ＲＳ）が見つけられるまで、ＵＥは、Ｍｓｇ１送信を遅延させる。
７）適切なＳＳブロック（又はＣＳＩ−ＲＳ）が見つけられない場合、ＵＥは、定義された時間周期の間Ｍｓｇ１送信を遅延させる。
適切なＳＳブロック（又はＣＳＩ−ＲＳ）がその時間周期後にも見つけられない場合、ＵＥは、アイドル／非活性状態に対するセル再選択及び接続状態に対するＲＬＦ（すなわち、接続再設定）をトリガーリングする。
【０１２８】
≪方法７≫
図１１は、本発明の実施形態による方法７に基づいたＲＡＣＨ送信及び再送信のためのＵＥ動作を説明するためのフローチャートである。
【０１２９】
図１１を参照すると、動作１１０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
一実施形態で、ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【０１３０】
その後、ＵＥは、ＰＲＡＣＨプリアンブル（すなわち、Ｍｓｇ１）を送信するために選択されたＳＳブロックに対応するＰＲＡＣＨプリアンブル及び／又はＰＲＡＣＨリソース（又はＰＲＡＣＨオケージョン）を選択する。
動作１１０２で、ＵＥは、無競合ＰＲＡＣＨプリアンブル及び／又はリソースが選択されたＳＳブロックに対して設定されたか否かを判断する。
ＵＥが選択されたＳＳブロックに対応する無競合（すなわち、専用）ＰＲＡＣＨプリアンブル及び／又はＰＲＡＣＨリソースに設定されていると、動作１１０３で、ＵＥは、選択されたブロックに対応する専用ＰＲＡＣＨプリアンブル及び／又はＰＲＡＣＨリソースを選択する。
そうでない場合、動作１１０４で、ＵＥは、選択されたＳＳブロックに対応するＰＲＡＣＨプリアンブル及び／又はＰＲＡＣＨリソースの競合基盤サブセットから選択されたＳＳブロックに対応するＰＲＡＣＨプリアンブル及び／又はＰＲＡＣＨリソースを選択する。
【０１３１】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０１３２】
ＳＳブロックが専用ＰＲＡＣＨリソース（ＰＲＡＣＨオケージョン）と関連付けられると、ＵＥは、専用ＰＲＡＣＨリソースからＰＲＡＣＨリソース（ＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（ＰＲＡＣＨオケージョン）から最も早く利用可能なＰＲＡＣＨリソース（ＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（ＰＲＡＣＨオケージョン）が選択されたＳＳブロックに対応する時間内に利用可能な場合に、ＵＥは、利用可能な多数の周波数分割多重ＰＲＡＣＨリソース（ＰＲＡＣＨオケージョン）から同一の確率で一つのＰＲＡＣＨリソース（ＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１３３】
動作１１０５で、ＵＥは、選択されたＳＳブロックに対応する選択されたＰＲＡＣＨプリアンブル及び／又はＰＲＡＣＨリソースを用いてＭｓｇ１を送信する。
【０１３４】
ＰＲＡＣＨを送信するための電力を計算するため、ＵＥは、選択されたＳＳブロックで受信した信号に基づいて経路損失を推定する。
Ｍｓｇ１を送信した後、動作１１０６で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１１０７で、Ｍｓｇ１を再送信する必要がない。
ＵＥがＲＡＲを受信することができない場合、動作１１０８で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、ＳＳブロックを再選択しない。
ＵＥは、初期送信のために選択されたものと同一のＳＳブロックを用いる。
ＳＳブロックは、ランダムアクセス手続きが開示される時に選択され、ランダムアクセス手続きの間に、Ｍｓｇ１のあらゆる（再）送信のためのＰＲＡＣＨプリアンブル及び／又はＰＲＡＣＨリソース（又はＰＲＡＣＨオケージョン）選択及び経路損失推定のために同一のＳＳブロックが用いられる。
代案的な実施形態で、再送信の間に、端末は、初期送信と同一の方式でＳＳブロックを選択することができる。
【０１３５】
この方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１３６】
≪キーポイント≫
ＵＥは、最も高い信号品質を有するＳＳブロック（又はＣＳＩ−ＲＳ）を選択する。
ランダムアクセス手続きの間に、同一のＳＳブロック（又はＣＳＩ−ＲＳ）がＭｓｇ１（再）送信のために用いられる。
ＵＥは、ＣＦリソース（設定された場合）から選択されたＳＳブロック（又はＣＳＩ−ＲＳ）に対応するＰＲＡＣＨプリアンブル及び／又はＰＲＡＣＨリソースを選択し、そうでない場合、ＵＥは、ＣＢリソースから選択されたＳＳブロックに対応するＰＲＡＣＨプリアンブル及び／又はＰＲＡＣＨリソースを選択する。
【０１３７】
≪方法８≫
図１２は、本発明の実施形態による方法８に基づいたＲＡＣＨ送信及び再送信のためのＵＥ動作を説明するためのフローチャートである。
【０１３８】
図１２を参照すると、動作１２０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
このような方法で、ＵＥは、無競合プリアンブル及び／又はリソースがｇＮＢによってＵＥに設定されるＳＳブロック中で最も高い信号品質を有するＳＳブロックを選択することができる。
【０１３９】
次に、ＵＥは、動作１２０２で、選択されたＳＳブロックに対応するＰＲＡＣＨプリアンブル及び／又はＰＲＡＣＨリソース（又はＰＲＡＣＨオケージョン）を選択し、動作１２０３で、ＵＥは、選択されたＳＳブロックに対応する選択されたＰＲＡＣＨプリアンブル及び／又はＰＲＡＣＨリソースを用いてＭｓｇ１を送信する。
【０１４０】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０１４１】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（又はＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１４２】
ＰＲＡＣＨを送信するための電力を計算するため、ＵＥは、選択されたＳＳブロックで受信した信号に基づいて経路損失を推定する。
Ｍｓｇ１を送信した後、動作１２０４で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１２０５で、Ｍｓｇ１を再送信する必要がない。
ＵＥがＲＡＲを受信することができない場合、動作１２０６で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、ＳＳブロックを再選択しない。
ＵＥは、初期送信のために選択されたものと同一のＳＳブロックを用いる。
ＳＳブロックは、ランダムアクセス手続きが開示される時に選択され、ランダムアクセス手続きの間のＭｓｇ１のあらゆる（再）送信のためのＰＲＡＣＨプリアンブル及び／又はＰＲＡＣＨリソース（又はＰＲＡＣＨオケージョン）選択及び経路損失推定のために同一のＳＳブロックが用いられる。
代案的な実施形態で再送信の間に端末は初期送信と同一の方式でＳＳブロックを選択することができる。
【０１４３】
この方法の代案的な実施形態で、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１４４】
≪キーポイント≫
ＵＥは、無競合プリアンブル及び／又はリソースがＵＥに提供されるＳＳブロック（又はＣＳＩ−ＲＳ）中で最も高い信号品質を有するＳＳブロック（又はＣＳＩ−ＲＳ）を選択する。
ランダムアクセス手続きの間に、同一のＳＳブロック（又はＣＳＩ−ＲＳ）は、Ｍｓｇ１（再）送信のために用いられる。
ＵＥは、ＣＦソースから選択されたＳＳブロック（又はＣＳＩ−ＲＳ）に対応するＰＲＡＣＨプリアンブル及び／又はＰＲＡＣＨリソースのうちの少なくとも一つを選択する。
【０１４５】
≪方法９≫
図１３は、本発明の実施形態による方法９に基づいたＲＡＣＨ送信及び再送信のためのＵＥ動作を説明するためのフローチャートである。
【０１４６】
図１３を参照すると、動作１３０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックは、ＳＳブロックの信号品質がしきい値‘ＳＳＢｌｏｃｋＴｈｒｅｓｈｏｌｄ’より大きいか同一の場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
多数のＳＳブロックが適切な場合、ＵＥは、次のような方式の中の一つでＳＳブロックを選択することができる。
【０１４７】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０１４８】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０１４９】
その後、ＵＥは、ＰＲＡＣＨプリアンブル（すなわち、Ｍｓｇ１）を送信するために選択されたＳＳブロックに対応するＰＲＡＣＨプリアンブル及び／又はＰＲＡＣＨリソース（又はＰＲＡＣＨオケージョン）を選択する。
動作１３０２で、ＵＥは、無競合ＰＲＡＣＨプリアンブル及び／又はリソースが選択されたＳＳブロックに対して設定されたか否かを判断する。
ＵＥが選択されたＳＳブロックに対応する無競合（すなわち、専用）ＰＲＡＣＨプリアンブル及び／又はＰＲＡＣＨリソースに設定されると、動作１３０３で、ＵＥは、選択されたブロックに対応する専用ＰＲＡＣＨプリアンブル及び／又はＰＲＡＣＨリソースを選択する。
そうでない場合、動作１３０４で、ＵＥは、選択されたＳＳブロックに対応するＰＲＡＣＨプリアンブル及び／又はＰＲＡＣＨリソースの競合基盤サブセットから選択されたＳＳブロックに対応するＰＲＡＣＨプリアンブル及び／又はＰＲＡＣＨリソースを選択する。
【０１５０】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０１５１】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（又はＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。実施形態でＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択することができる（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１５２】
動作１３０５で、ＵＥは、選択されたＳＳブロックに対応する選択されたＰＲＡＣＨプリアンブル及び／又はＰＲＡＣＨリソースを用いてＭｓｇ１を送信する。
【０１５３】
ＰＲＡＣＨを送信するための電力を計算するため、ＵＥは、選択されたＳＳブロックで受信した信号に基づいて経路損失を推定する。
Ｍｓｇ１を送信した後、動作１３０６で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１３０７で、Ｍｓｇ１を再送信する必要がない。
ＵＥがＲＡＲを受信することができない場合、動作１３０８で、ＵＥは、ＵＥが許容したＭｓｇ１送信の最大数を実行したかを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、ＳＳブロックを再選択しない。
ＵＥは、初期送信のために選択されたことと同一のＳＳブロックを用いる。
適切なＳＳブロックはランダムアクセス手続きが開示される時に選択され、ランダムアクセス手続きの間のＭｓｇ１のあらゆる（再）送信のためのＰＲＡＣＨプリアンブル及び／又はＰＲＡＣＨリソース（又はＰＲＡＣＨオケージョン）選択及び経路損失推定のために同一のＳＳブロックが用いられる。
適切なＳＳブロックが見つけられない場合に、ＵＥは、後述されるように再送信の間の適切なＳＳブロックを再選択する。
【０１５４】
上述した手続きで、ＵＥは、任意の適切なＳＳブロックを見つけることができないことがある。
この場合、ＵＥは、次のいずれかを行う。
【０１５５】
ＵＥは、Ｍｓｇ１を送信しない。
付加的に、ＵＥは、アイドル／非活性状態に対するセル再選択及び接続状態に対するＲＬＦ（すなわち、接続再設定）をトリガーリングする。
【０１５６】
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つけられる場合にＳＳブロックを変更する。
一実施形態で、ＵＥは、‘Ｎ’番の数の間の適切なＳＳブロックを選択せずＭｓｇ１を送信するように許容することができる。
パラメーターＮは、ネットワークによって事前定義されるか、シグナリングされる。
【０１５７】
ＵＥが適切なＳＳブロックを見つけられるまでＵＥは、Ｍｓｇ１送信を遅延させる。
一実施形態で、ＵＥは、最大時間周期‘Ｔ’の間、Ｍｓｇ１送信を遅延させ得る。
時間周期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了された後、ＵＥは、アイドル／非活性状態に対するセル再選択及び接続状態に対するＲＬＦ（すなわち、接続再設定）をトリガーリングする。
代案として、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
代案的な実施形態で、再送信の間に端末は、初期送信と同一の方式でＳＳブロックを選択することができる。
【０１５８】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１５９】
≪キーポイント≫
１）ＵＥは、ランダムアクセス手続きが開示される時の適切な（信号品質＞ＳＳＢｌｏｃｋＴｈｒｅｓｈｏｌｄ）ＳＳブロック（又はＣＳＩ−ＲＳ）を選択する。
ＵＥは、ランダムアクセス手続きの間のＭｓｇ１のあらゆる（再）送信に対するＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
選択されたＳＳブロックに対する無競合ＰＲＡＣＨプリアンブル及び／又はＰＲＡＣＨリソース（又はＰＲＡＣＨオケージョン）は利用可能な場合に選択される。
そうでない場合、選択されたＳＳブロックに対する競合基盤ＰＲＡＣＨプリアンブル及び／又はＰＲＡＣＨリソースが選択される。
【０１６０】
２）適切なＳＳブロックが見つけられない場合、ＵＥは、最も高い信号品質を有するＳＳブロック（又はＣＳＩ−ＲＳ）を選択する。
３）適切なＳＳブロック（又はＣＳＩ−ＲＳ）が以前送信のために使用されなく、以前送信のためのＳＳブロック（又はＣＳＩ−ＲＳ）が相変らず適切ではなく、他の適切なＳＳブロック（又はＣＳＩ−ＲＳ）が見つけられると、ＵＥは、ＳＳブロック（又はＣＳＩ−ＲＳ）を変更する。
【０１６１】
４）適切なＳＳブロック（又はＣＳＩ−ＲＳ）が見つけられない場合、ＵＥは、セルを再選択する。
５）適切なＳＳブロック（又はＣＳＩ−ＲＳ）が見つけられるまで、ＵＥは、Ｍｓｇ１送信を遅延させる。
６）適切なＳＳブロック（又はＣＳＩ−ＲＳ）が見つけられない場合、ＵＥは、定義された時間周期の間Ｍｓｇ１送信を遅延させる。
適切なＳＳブロック（又はＣＳＩ−ＲＳ）がその時間周期後にも見つけられない場合、ＵＥは、アイドル／非活性状態に対するセル再選択及び接続状態に対するＲＬＦ（すなわち、接続再設定）をトリガーリングする。
【０１６２】
≪方法１０≫
図１４は、本発明の実施形態による方法１０に基づいたＲＡＣＨ送信及び再送信のためのＵＥ動作を説明するためのフローチャートである。
【０１６３】
図１４を参照すると、動作１４０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックはＳＳブロックの信号品質がしきい値‘ＳＳＢｌｏｃｋＴｈｒｅｓｈｏｌｄ’より大きいか同一の場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
【０１６４】
この方法の、動作１４０２で、ＵＥは、先ず専用ＰＲＡＣＨプリアンブル及び／又はＰＲＡＣＨリソースが設定されるＳＳブロック中で適切なＳＳブロックが存在するか否かをチェックする。
専用ＰＲＡＣＨプリアンブル及び／又はＰＲＡＣＨリソースが設定される適切なＳＳブロックが見つけられると、ＵＥは、そのＳＳブロックを選択し、動作１４０３で選択されたＳＳブロックに対応する専用ＰＲＡＣＨプリアンブル及び／又はＰＲＡＣＨリソースを選択する。
多数のＳＳブロックが専用プリアンブル及び／又はリソースが設定される適切なＳＳブロックの場合、ＵＥは、次の方式の中の一つでＳＳブロックを選択することができる。
【０１６５】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０１６６】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０１６７】
専用ＰＲＡＣＨプリアンブル及び／又はＰＲＡＣＨリソースが設定されるＳＳブロック中で適切なＳＳブロックが見つけられない場合、動作１４０４で、ＵＥは、競合基盤プリアンブル及び／又はリソースが設定されるＳＳブロック中で適切なブロックを選択し、動作１４０５で、ＵＥは、選択されたＳＳブロックに対応する競合基盤ＰＲＡＣＨプリアンブル及び／又はＰＲＡＣＨリソースを選択する。
多数のＳＳブロックが競合基盤プリアンブル及び／又はリソースが設定される適切なＳＳブロックの場合に、ＵＥは、次の方式の中の一つでＳＳブロックを選択することができる。
【０１６８】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０１６９】
ＵＥは、ネットワークから  （ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０１７０】
次に、動作１４０６で、ＵＥは、選択されたＳＳブロックに対応する選択されたＰＲＡＣＨプリアンブル及び／又はＰＲＡＣＨリソースを用いてＰＲＡＣＨプリアンブル（すなわち、Ｍｓｇ１）を送信する。
【０１７１】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０１７２】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（又はＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１７３】
ＰＲＡＣＨを送信するための電力を計算するため、ＵＥは、選択されたＳＳブロックで受信した信号に基づいて経路損失を推定する。
Ｍｓｇ１を送信した後、動作１４０７で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１４０８で、Ｍｓｇ１を再送信する必要がない。
ＵＥがＲＡＲを受信することができない場合、動作１４０９で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、ＳＳブロックを再選択しない。
ＵＥは、初期送信のために選択されたことと同一のＳＳブロックを用いる。
適切なＳＳブロックは、ランダムアクセス手続きが開示される時に選択され、ランダムアクセス手続きの間のＭｓｇ１のあらゆる（再）送信のためのＰＲＡＣＨプリアンブル及び／又はＰＲＡＣＨリソース（又はＰＲＡＣＨオケージョン）選択及び経路損失推定のために同一のＳＳブロックが用いられる。
適切なＳＳブロックが見つけられない場合に、ＵＥは、後述するように、再送信の間に適切なＳＳブロックを再選択する。
代案的な実施形態で、再送信の間に、端末は、初期送信と同一の方式でＳＳブロックを選択することができる。
【０１７４】
上述した手続きで、ＵＥは、競合基盤プリアンブル及び／又はリソースに対応するＳＳブロックを選択する間に任意の適切なＳＳブロックを見つけることができないことがある。
この場合、ＵＥは、次のいずれかを行う。
【０１７５】
ＵＥは、Ｍｓｇ１を送信しない。
付加的に、ＵＥは、アイドル／非活性状態に対するセル再選択及び接続状態に対するＲＬＦ（すなわち、接続再設定）をトリガーリングする。
【０１７６】
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つけられる場合に、ＳＳブロックを変更する。
一実施形態で、ＵＥは、‘Ｎ’番の数の間の適切なＳＳブロックを選択せずＭｓｇ１を送信するように許容する。
パラメーターＮは、ネットワークによって事前定義されるか、シグナリングされる。
【０１７７】
ＵＥが適切なＳＳブロックを見つけるまで、ＵＥは、Ｍｓｇ１送信を遅延させる。
一実施形態で、ＵＥは、最大時間周期‘Ｔ’の間、Ｍｓｇ１送信を遅延させ得る。
時間周期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了された後、ＵＥは、アイドル／非活性状態に対するセル再選択及び接続状態に対するＲＬＦ（すなわち、接続再設定）をトリガーリングする。
代案として、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
【０１７８】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１７９】
≪キーポイント≫
１）ＵＥは、ＣＦリソースが設定されるＳＳブロック（又はＣＳＩ−ＲＳ）から適切なＳＳブロック（又はＣＳＩ−ＲＳ）を選択する。
ＣＦリソースが設定されるＳＳブロック（又はＣＳＩ−ＲＳ）から適切なＳＳブロック（又はＣＳＩ−ＲＳ）が見つけられない場合、ＵＥは、ＣＢリソースが設定されるＳＳブロック（又はＣＳＩ−ＲＳ）から適切なＳＳブロック（又はＣＳＩ−ＲＳ）を選択する。
ＵＥは、ランダムアクセス手続きの間のＭｓｇ１のあらゆる（再）送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【０１８０】
２）適切なＳＳブロックが見つけられない場合、ＵＥは、最も高い信号品質を有するＳＳブロック（又はＣＳＩ−ＲＳ）を選択する。
３）適切なＳＳブロック（又はＣＳＩ−ＲＳ）が以前送信のために使用されなく、以前送信のためのＳＳブロック（又はＣＳＩ−ＲＳ）が相変らず適切ではなく、他の適切なＳＳブロック（又はＣＳＩ−ＲＳ）が見つけられると、ＵＥは、ＳＳブロック（又はＣＳＩ−ＲＳ）を変更する。
４）適切なＳＳブロック（又はＣＳＩ−ＲＳ）が見つけられない場合、ＵＥは、セルを再選択する。
５）適切なＳＳブロック（又はＣＳＩ−ＲＳ）が見つけられるまで、ＵＥは、Ｍｓｇ１送信を遅延させる。
６）適切なＳＳブロック（又はＣＳＩ−ＲＳ）が見つけられない場合、ＵＥは、定義された時間周期の間Ｍｓｇ１送信を遅延させる。
適切なＳＳブロック（又はＣＳＩ−ＲＳ）がその時間周期後にも見つけられない場合、ＵＥは、アイドル／非活性状態に対するセル再選択及び接続状態に対するＲＬＦ（すなわち、接続再設定）をトリガーリングする。
【０１８１】
≪方法１１≫
図１５は、本発明の実施形態による方法１１に基づいたＲＡＣＨ送信及び再送信のためのＵＥ動作を説明するためのフローチャートである。
【０１８２】
図１５を参照すると、動作１５０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックは、ＳＳブロックの信号品質がしきい値‘ＳＳＢｌｏｃｋＴｈｒｅｓｈｏｌｄ’より大きいか同一の場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
【０１８３】
この方法の、動作１５０２で、ＵＥは、先ず専用ＰＲＡＣＨプリアンブル及び／又はＰＲＡＣＨリソースが設定されるＳＳブロック中で適切なＳＳブロックが存在するか否かをチェックする。
専用ＰＲＡＣＨプリアンブル及び／又はＰＲＡＣＨリソースが設定される適切なＳＳブロックが見つけられると、ＵＥは、そのＳＳブロックを選択し、動作１５０４で選択されたＳＳブロックに対応する専用ＰＲＡＣＨプリアンブル及び／又はＰＲＡＣＨリソースを選択する。
多数のＳＳブロックが専用プリアンブル及び／又はリソースが設定される適切なＳＳブロックの場合に、ＵＥは、次の方式の中の一つでＳＳブロックを選択することができる。
【０１８４】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０１８５】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０１８６】
専用ＰＲＡＣＨプリアンブル及び／又はＰＲＡＣＨリソースが設定されるＳＳブロック中で適切なＳＳブロックが見つけられない場合、ＵＥは、動作１５０３で、専用ＰＲＡＣＨプリアンブル及び／又はＰＲＡＣＨプリアンブルが設定されるＳＳブロック中で最も高い信号品質を有するＳＳブロックを選択し、動作１５０４で選択されたＰＲブロックに対応する専用ＰＲＡＣＨプリアンブル及び／又はＰＲＡＣＨリソースを選択する。
【０１８７】
次に、動作１５０５で、ＵＥは、選択されたＳＳブロックに対応する選択されたＰＲＡＣＨプリアンブル及び／又はＰＲＡＣＨリソースを用いてＰＲＡＣＨプリアンブル（すなわち、Ｍｓｇ１）を送信する。
【０１８８】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルセットからＰＲＡＣＨプリアンブルをランダムに選択する。
【０１８９】
ＳＳブロックが専用ＰＲＡＣＨリソース（又はＰＲＡＣＨオケージョン）と関連付けられると、ＵＥは、専用ＰＲＡＣＨからＰＲＡＣＨリソース（又はＰＲＡＣＨオケージョン）選択し、そうでない場合、ＵＥは、選択されたＳＳブロックに対応する競合基盤ＰＲＡＣＨリソース（又はＰＲＡＣＨオケージョン）からＰＲＡＣＨリソース（又はＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１９０】
ＰＲＡＣＨを送信するための電力を計算するため、ＵＥは、選択されたＳＳブロックで受信した信号に基づいて経路損失を推定する。
Ｍｓｇ１を送信した後、動作１５０６で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１５０７で、Ｍｓｇ１を再送信する必要がない。
ＵＥがＲＡＲを受信することができない場合、動作１５０８で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、ＳＳブロックを再選択しない。
ＵＥは、初期送信のために選択されたものと同一のＳＳブロックを用いる。
適切なＳＳブロックはランダムアクセス手続きが開示される時に選択され、ランダムアクセス手続きの間のＭｓｇ１のあらゆる（再）送信のためのＰＲＡＣＨプリアンブル及び／又はＰＲＡＣＨリソース（又はＰＲＡＣＨオケージョン）選択及び経路損失推定のために同一のＳＳブロックが用いられる。
代案的な実施形態として、再送信の間に端末は初期送信と同一の方式でＳＳブロックを選択することができる。
【０１９１】
この方法の代案的な実施形態として、ＳＳブロックの代りに、ＣＳＩ−ＲＳを用いることができる。
ＵＥは、ＳＳブロックに対して上述したような同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０１９２】
≪キーポイント≫
ＵＥは、ＣＦリソースが設定されるＳＳブロック（又はＣＳＩ−ＲＳ）から適切なＳＳブロック（又はＣＳＩ−ＲＳ）を選択する。
ＣＦリソースが設定されるＳＳブロック（又はＣＳＩ−ＲＳ）から適切なＳＳブロック（又はＣＳＩ−ＲＳ）が見つけられない場合、ＵＥは、ＣＦリソースが設定されるＳＳブロック（又はＣＳＩ−ＲＳ）から最も高い信号品質を有するＳＳブロック（又はＣＳＩ−ＲＳ）を選択する。
ＵＥは、ランダムアクセス手続きの間のＭｓｇ１のあらゆる（再）送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
【０１９３】
≪方法１２≫
図１６は、本発明の実施形態による方法１２に基づいたＲＡＣＨ送信及び再送信のためのＵＥ動作を説明するためのフローチャートである。
【０１９４】
図１６を参照すれば、動作１６０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
一実施形態で、ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【０１９５】
その後、ＵＥは、ＰＲＡＣＨプリアンブル（すなわち、Ｍｓｇ１）を送信するために選択されたＳＳブロックに対応するＰＲＡＣＨプリアンブル及び／又はＰＲＡＣＨリソース（又はＰＲＡＣＨオケージョン）を選択する。
動作１６０２で、ＵＥは、無競合ＰＲＡＣＨプリアンブル及び／又はリソースが選択されたＳＳブロックに対して設定されたか否かを判断する。
ＵＥが選択されたＳＳブロックに対応する無競合（すなわち、専用）ＰＲＡＣＨプリアンブル及び／又はＰＲＡＣＨリソースに設定されると、動作１６０３で、ＵＥは、選択されたブロックに対応する専用ＰＲＡＣＨプリアンブル及び／又はＰＲＡＣＨリソースを選択する。
そうでない場合、動作１６０４で、ＵＥは、選択されたＳＳブロックに対応するＰＲＡＣＨプリアンブル及び／又はＰＲＡＣＨリソースの競合基盤サブセットから選択されたＳＳブロックに対応するＰＲＡＣＨプリアンブル及び／又はＰＲＡＣＨリソースを選択する。
【０１９６】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０１９７】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（又はＰＲＡＣＨオケージョン）選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０１９８】
動作１６０５で、ＵＥは、選択されたＳＳブロックに対応する選択されたＰＲＡＣＨプリアンブル及び／又はＰＲＡＣＨリソースを用いてＭｓｇ１を送信する。
【０１９９】
ＰＲＡＣＨを送信するための電力を計算するため、ＵＥは、選択されたＳＳブロックで受信した信号に基づいて経路損失を推定する。
Ｍｓｇ１を送信した後、動作１６０６で、ＵＥは、Ｍｓｇ１送信に対応するＲＡＲ（すなわち、Ｍｓｇ２）が成功裏に受信されたか否かを判断する。
ＵＥがＲＡＲを成功裏に受信する場合、動作１６０７で、Ｍｓｇ１を再送信する必要がない。
ＵＥがＲＡＲを受信することができない場合、動作１６０８で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、動作１６０９で、ＵＥは、以前Ｍｓｇ１送信のために選択されたＳＳブロックの信号品質がしきい値‘ＳＳＢｌｏｃｋＴｈｒｅｓｈｏｌｄ’より大きいか同一であるかを判断する。
以前Ｍｓｇ１送信のために選択されたＳＳブロックの信号品質がしきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたことと同一のＳＳブロックを用いる。
再送信の間に、以前Ｍｓｇ１送信のために選択されたＳＳブロックの信号品質がしきい値‘ＳＳＢｌｏｃｋＴｈｒｅｓｈｏｌｄ’より小さい場合、ＵＥは、動作１６１０で、ＳＳブロックを再選択する。
ＵＥは、ｇＮＢによって送信されたすべてのＳＳブロック中で最も高い信号品質を有するＳＳブロックを選択する。
他の実施形態として、ＵＥは、測定が利用可能なすべてのＳＳブロック中で最も高い信号品質を有するＳＳブロックを選択する。
代案的な実施形態として、再送信の間に、端末は、初期送信と同一の方式でＳＳブロックを選択する。
【０２００】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０２０１】
≪キーポイント≫
１）ＵＥは、ランダムアクセス手続きが開示される時、最も高い信号品質を有するＳＳブロック（又はＣＳＩ−ＲＳ）を選択する。
以前送信のＳＳブロック（又はＣＳＩ−ＲＳ）が最も高い信号品質を有するＳＳブロック（又はＣＳＩ−ＲＳ）が再送信の間に選択される最近測定に基づいて、しきい値の以下であれば、ＵＥは、再送信の間にＳＳブロック（又はＣＳＩ−ＲＳ）を再選択する。
ＵＥは、ランダムアクセス手続きの間のＭｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
２）ＵＥは、ＣＦリソース（設定された場合）から選択されたＳＳブロック（又はＣＳＩ−ＲＳ）に対応するＰＲＡＣＨプリアンブル及び／又はＰＲＡＣＨリソースを選択し、そうでない場合、ＵＥは、ＣＢリソースから選択されたＳＳブロックに対応するＰＲＡＣＨプリアンブル及び／又はＰＲＡＣＨリソースを選択する。
【０２０２】
≪方法１３≫
図１７は、本発明の実施形態による方法１３に基づいたＲＡＣＨ送信及び再送信のためのＵＥ動作を説明するためのフローチャートである。
【０２０３】
図１７を参照すると、動作１７０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
一実施形態で、ＵＥは、ｇＮＢによって送信されたすべてのＳＳブロック中で最も高い信号品質を有するＳＳブロックを選択する。
他の実施形態で、ＵＥは、測定が利用可能なすべてのＳＳブロック中で最も高い信号品質を有するＳＳブロックを選択する。
【０２０４】
その後、ＵＥは、ＰＲＡＣＨプリアンブル（すなわち、Ｍｓｇ１）を送信するために選択されたＳＳブロックに対応するＰＲＡＣＨプリアンブル及び／又はＰＲＡＣＨリソース（又はＰＲＡＣＨオケージョン）を選択する。
動作１７０２で、ＵＥは、無競合ＰＲＡＣＨプリアンブル及び／又はリソースが選択されたＳＳブロックに対して設定されたか否かを判断する。
ＵＥが選択されたＳＳブロックに対応する無競合（すなわち、専用）ＰＲＡＣＨプリアンブル及び／又はＰＲＡＣＨリソースに設定されると、動作１７０３で、ＵＥは、選択されたブロックに対応する専用ＰＲＡＣＨプリアンブル及び／又はＰＲＡＣＨリソースを選択する。
そうでない場合、動作１７０４で、ＵＥは、選択されたＳＳブロックに対応するＰＲＡＣＨプリアンブル及び／又はＰＲＡＣＨリソースの競合基盤サブセットから選択されたＳＳブロックに対応するＰＲＡＣＨプリアンブル及び／又はＰＲＡＣＨリソースを選択する。
【０２０５】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２０６】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２０７】
動作１７０５で、ＵＥは、選択されたＳＳブロックに対応する選択されたＰＲＡＣＨプリアンブル及び／又はＰＲＡＣＨリソースを用いてＭｓｇ１を送信する。
【０２０８】
ＰＲＡＣＨを送信するための電力を計算するため、ＵＥは、選択されたＳＳブロックで受信した信号に基づいて経路損失を推定する。
Ｍｓｇ１を送信した後、動作１７０６で、ＵＥは、Ｍｓｇ１送信に対応するＲＡＲ（すなわち、Ｍｓｇ２）が成功裏に受信したか否かを判断する。
ＵＥがＲＡＲを成功裏に受信する場合、動作１７０７で、Ｍｓｇ１を再送信する必要がない。
ＵＥがＲＡＲを受信することができない場合、動作１７０８で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、動作１７０９で、ＵＥは、以前Ｍｓｇ１送信のために選択されたＳＳブロックの信号品質が最近測定に基づいて最も高い信号品質を相変わらず有するか否かを判断する。
以前Ｍｓｇ１送信のために選択されたＳＳブロックの信号品質が最も高い信号品質を有すると、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質が最も高い信号品質を有しなければ、ＵＥは、動作１７１０で、ＳＳブロックを再選択する。
ＵＥは、ｇＮＢによって送信されたすべてのＳＳブロック中で最も高い信号品質を有するＳＳブロックを選択する。
他の実施形態として、ＵＥは、測定が利用可能なすべてのＳＳブロック中で最も高い信号品質を有するＳＳブロックを選択する。
代案的な実施形態として、再送信の間に、端末は、初期送信と同一の方式でＳＳブロックを選択する。
【０２０９】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０２１０】
≪キーポイント≫
１）ＵＥは、ランダムアクセス手続きが開示される時、最も高い信号品質を有するＳＳブロック（又はＣＳＩ−ＲＳ）を選択する。
以前送信のＳＳブロック（又はＣＳＩ−ＲＳ）が最も高い信号品質を有するＳＳブロック（又はＣＳＩ−ＲＳ）が再送信の間に選択される最近測定に基づいて最も高い信号品質を有しなければ、ＵＥは、再送信の間にＳＳブロック（又はＣＳＩ−ＲＳ）を再選択する。
ＵＥは、ランダムアクセス手続きの間のＭｓｇ１の送信のためのＰＲＡＣＨプリアンブル及び／又はＰＲＡＣＨリソース（又はＰＲＡＣＨオケージョン）選択及び経路損失推定のために選択されたＳＳブロック（又はＣＳＩ−ＲＳ）を用いる。
２）ＵＥは、ＣＦリソース（設定された場合）から選択されたＳＳブロック（又はＣＳＩ−ＲＳ）に対応するＰＲＡＣＨプリアンブル及び／又はＰＲＡＣＨリソースを選択し、そうでない場合、ＵＥは、ＣＢリソースから選択されたＳＳブロックに対応するＰＲＡＣＨプリアンブル及び／又はＰＲＡＣＨリソースを選択する。
【０２１１】
≪方法１４≫
図１８は、本発明の実施形態による方法１４に基づいたＲＡＣＨ送信及び再送信のためのＵＥ動作を説明するためのフローチャートである。
【０２１２】
図１８を参照すると、動作１８０１で、ＵＥは、初期ＰＲＡＣＨプリアンブル送信のための最も高い信号品質を有するＳＳブロックを選択する。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
このような方法で、ＵＥは、無競合プリアンブル及び／又はリソースがｇＮＢによってＵＥに設定されるＳＳブロック中で最も高い信号品質を有するＳＳブロックを選択することができる。
【０２１３】
次に、ＵＥは、動作１８０２で、選択されたＳＳブロックに対応するＰＲＡＣＨプリアンブル及び／又はＰＲＡＣＨリソース（又はＰＲＡＣＨオケージョン）を選択し、動作１８０３で、ＵＥは、選択されたＳＳブロックに対応する選択されたＰＲＡＣＨプリアンブル及び／又はＰＲＡＣＨリソースを用いてＭｓｇ１を送信する。
【０２１４】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２１５】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
一実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２１６】
ＰＲＡＣＨを送信するための電力を計算するため、ＵＥは、選択されたＳＳブロックで受信した信号に基づいて経路損失を推定する。
Ｍｓｇ１を送信した後、動作１８０４で、ＵＥは、Ｍｓｇ１送信に対応するＲＡＲ（すなわち、Ｍｓｇ２）が成功裏に受信したか否かを判断する。
ＵＥがＲＡＲを成功裏に受信する場合、動作１８０５で、Ｍｓｇ１を再送信する必要がない。
ＵＥがＲＡＲを受信することができない場合、動作１８０６で、ＵＥは、ＵＥが許容したＭｓｇ１送信の最大数を実行したかを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、動作１８０７で、ＵＥは、以前Ｍｓｇ１送信のために選択されたＳＳブロックの信号品質がしきい値‘ＳＳＢｌｏｃｋＴｈｒｅｓｈｏｌｄ’より大きいか同一であるかを判断する。
以前Ｍｓｇ１送信のために選択されたＳＳブロックの信号品質がしきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質がしきい値‘ＳＳＢｌｏｃｋＴｈｒｅｓｈｏｌｄ’より小さい場合、ＵＥは、動作１８０８で、ＳＳブロックを再選択する。
ＵＥは、ｇＮＢによって端末に設定された無競合プリアンブル及び／又はリソースに対するＳＳブロック中で最も高い信号品質を有するＳＳブロックを選択する。
【０２１７】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０２１８】
≪方法１５≫
図１９は、本発明の実施形態による方法１５に基づいたＲＡＣＨ送信及び再送信のためのＵＥ動作を説明するためのフローチャートである。
【０２１９】
図１９を参照すると、動作１９０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックは、ＳＳブロックの信号品質がしきい値‘ＳＳＢｌｏｃｋＴｈｒｅｓｈｏｌｄ’より大きいか同一の場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
多数のＳＳブロックが適切な場合、ＵＥは、次のような方式の中の一つでＳＳブロックを選択することができる。
【０２２０】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０２２１】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０２２２】
その後、ＵＥは、ＰＲＡＣＨプリアンブル（すなわち、Ｍｓｇ１）を送信するために選択されたＳＳブロックに対応するＰＲＡＣＨプリアンブル及び／又はＰＲＡＣＨリソース（又はＰＲＡＣＨオケージョン）を選択する。
動作１９０２で、ＵＥは、無競合ＰＲＡＣＨプリアンブル及び／又はリソースが選択されたＳＳブロックに対して設定されたか否かを判断する。
ＵＥが選択されたＳＳブロックに対応する無競合（すなわち、専用）ＰＲＡＣＨプリアンブル及び／又はＰＲＡＣＨリソースに設定されると、動作１９０３で、ＵＥは、選択されたブロックに対応する専用ＰＲＡＣＨプリアンブル及び／又はＰＲＡＣＨリソースを選択する。
そうでない場合、動作１９０４で、ＵＥは、選択されたＳＳブロックに対応するＰＲＡＣＨプリアンブル及び／又はＰＲＡＣＨリソースの競合基盤サブセットから選択されたＳＳブロックに対応するＰＲＡＣＨプリアンブル及び／又はＰＲＡＣＨリソースを選択する。
【０２２３】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２２４】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２２５】
動作１９０５で、ＵＥは、選択されたＳＳブロックに対応する選択されたＰＲＡＣＨプリアンブル及び／又はＰＲＡＣＨリソースを用いてＭｓｇ１を送信する。
【０２２６】
ＰＲＡＣＨを送信するための電力を計算するため、ＵＥは、選択されたＳＳブロックで受信した信号に基づいて経路損失を推定する。
Ｍｓｇ１を送信した後、動作１９０６で、ＵＥは、Ｍｓｇ１送信に対応するＲＡＲ（すなわち、Ｍｓｇ２）が成功裏に受信したか否かを判断する。
ＵＥがＲＡＲを成功裏に受信する場合、動作１９０７で、Ｍｓｇ１を再送信する必要がない。
ＵＥがＲＡＲを受信することができない場合、動作１９０８で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、動作１９０９で、以前Ｍｓｇ１送信のために選択されたＳＳブロックの信号品質がしきい値‘ＳＳＢｌｏｃｋＴｈｒｅｓｈｏｌｄ’より大きいか同一であるかを判断する。
以前Ｍｓｇ１送信のために選択されたＳＳブロックの信号品質が、しきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質が、しきい値‘ＳＳＢｌｏｃｋＴｈｒｅｓｈｏｌｄ’より小さい場合、ＵＥは、動作１９１０でＳＳブロックを再選択する。
ＵＥは、適切なＳＳブロックを選択する。
適切なＳＳブロックが見つけられない場合、ＵＥは、後述するように、再送信の間に適切なＳＳブロックを再選択する。
【０２２７】
上述した手続きで、ＵＥは、任意の適切なＳＳブロックを見つけることができないことがある。
この場合、ＵＥは、次のいずれかを行う。
【０２２８】
ＵＥは、Ｍｓｇ１を送信しない。
付加的に、ＵＥは、アイドル／非活性状態に対するセル再選択及び接続状態に対するＲＬＦ（すなわち、接続再設定）をトリガーリングする。
【０２２９】
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つけられる場合に、ＳＳブロックを変更する。
一実施形態で、ＵＥは、‘Ｎ’番の数の間適切なＳＳブロックを選択せずＭｓｇ１を送信するように許容する。
パラメーターＮは、ネットワークによって事前定義されるか、シグナリングされる。
【０２３０】
ＵＥが適切なＳＳブロックを見つけられるまで、ＵＥは、Ｍｓｇ１送信を遅延させる。
一実施形態で、ＵＥは、最大時間周期‘Ｔ’の間、Ｍｓｇ１送信を遅延させ得る。
時間周期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了した後、ＵＥは、アイドル／非活性状態に対するセル再選択及び接続状態に対するＲＬＦ（すなわち、接続再設定）をトリガーリングする。
代案として、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
【０２３１】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０２３２】
≪方法１６≫
図２０は、本発明の実施形態による方法１６に基づいたＲＡＣＨ送信及び再送信のためのＵＥ動作を説明するためのフローチャートである。
【０２３３】
図２０を参照すると、動作２００１で、ＵＥは、初期ＰＲＡＣＨプリアンブル送信のために適切なＳＳブロックを選択する。
ＳＳブロックは、ＳＳブロックの信号品質が、しきい値‘ＳＳＢｌｏｃｋＴｈｒｅｓｈｏｌｄ’より大きい場合に適切である。
実施形態で、ＳＳブロックは、ＳＳブロックの信号品質がしきい値‘ＳＳＢｌｏｃｋＴｈｒｅｓｈｏｌｄ’より大きいか同一である場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
【０２３４】
この方法の、動作２００２で、ＵＥは、先ず専用ＰＲＡＣＨプリアンブル及び／又はＰＲＡＣＨリソースが設定されるＳＳブロック中で適切なＳＳブロックが存在するか否かをチェックする。
専用ＰＲＡＣＨプリアンブル及び／又はＰＲＡＣＨリソースが設定される適切なＳＳブロックが見つけられると、ＵＥは、そのＳＳブロックを選択し、動作２００３で選択されたＳＳブロックに対応する専用ＰＲＡＣＨプリアンブル及び／又はＰＲＡＣＨリソースを選択する。
多数のＳＳブロックが専用プリアンブル及び／又はリソースが設定される適切なＳＳブロックの場合に、ＵＥは、次の方式の中の一つでＳＳブロックを選択することができる。
【０２３５】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０２３６】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０２３７】
専用ＰＲＡＣＨプリアンブル及び／又はＰＲＡＣＨリソースが設定されるＳＳブロック中で、適切なＳＳブロックが見つけられない場合、動作２００４で、ＵＥは、競合基盤プリアンブル及び／又はリソースが設定されるＳＳブロック中で適切なブロックを選択し、動作２００５で、ＵＥは、選択されたＳＳブロックに対応する競合基盤ＰＲＡＣＨプリアンブル及び／又はＰＲＡＣＨリソースを選択する。
多数のＳＳブロックが競合基盤プリアンブル及び／又はリソースが設定される適切なＳＳブロックの場合に、ＵＥは、次の方式の中の一つでＳＳブロックを選択することができる。
【０２３８】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０２３９】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０２４０】
次に、動作２００６で、ＵＥは、選択されたＳＳブロックに対応する選択されたＰＲＡＣＨプリアンブル及び／又はＰＲＡＣＨリソースを用いてＰＲＡＣＨプリアンブル（すなわち、Ｍｓｇ１）を送信する。
【０２４１】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２４２】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２４３】
ＰＲＡＣＨを送信するための電力を計算するため、ＵＥは、選択されたＳＳブロックで受信した信号に基づいて経路損失を推定する。
Ｍｓｇ１を送信した後、動作２００７で、ＵＥは、Ｍｓｇ１送信に対応するＲＡＲ（すなわち、Ｍｓｇ２）が成功裏に受信したか否かを判断する。
ＵＥがＲＡＲを成功裏に受信する場合、動作２００８で、Ｍｓｇ１を再送信する必要がない。
ＵＥがＲＡＲを受信することができない場合、動作２００９で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、動作２０１０で、ＵＥは、以前Ｍｓｇ１送信のために選択されたＳＳブロックの信号品質がしきい値‘ＳＳＢｌｏｃｋＴｈｒｅｓｈｏｌｄ’より大きいか同一であるかを判断する。
以前Ｍｓｇ１送信のために選択されたＳＳブロックの信号品質が、しきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質が、しきい値‘ＳＳＢｌｏｃｋＴｈｒｅｓｈｏｌｄ’より小さい場合、ＵＥは、動作２０１１で、ＳＳブロックを再選択する。
ＵＥは、適切なＳＳブロックを選択する。
適切なＳＳブロックが見つけられない場合、ＵＥは、後述するように再送信の間に適切なＳＳブロックを再選択する。
【０２４４】
上述した手続きで、ＵＥは、任意の適切なＳＳブロックを見つけることができないことがある。
この場合、ＵＥは、次のいずれかを行う。
【０２４５】
ＵＥは、Ｍｓｇ１を送信しない。
付加的に、ＵＥは、アイドル／非活性状態に対するセル再選択及び接続状態に対するＲＬＦ（すなわち、接続再設定）をトリガーリングする。
【０２４６】
ＵＥは、測定が利用可能なＳＳブロック又はすべてのＳＳブロック中で最も高い信号品質を有するＳＳブロックを選択する。
この場合（すなわち、適切なＳＳブロックが選択されない時）、Ｍｓｇ１の再送信の間に、ＵＥは、以前送信に対するＳＳブロックが相変らず適切ではなく、他の適切なＳＳブロックが見つけられる場合に、ＳＳブロックを変更する。
一実施形態で、ＵＥは、‘Ｎ’番の数の間の適切なＳＳブロックを選択せずＭｓｇ１を送信するように許容する。
パラメーターＮは、ネットワークによって事前定義されるか、シグナリングされる。
【０２４７】
ＵＥが適切なＳＳブロックを見つけるまでＵＥは、Ｍｓｇ１送信を遅延させる。
一実施形態で、ＵＥは、最大時間周期‘Ｔ’の間、Ｍｓｇ１送信を遅延させ得る。
時間週期Ｔは、システム情報（例えば、ＰＲＡＣＨ設定と共に、又はＲＭＳＩで）又はハンドオーバーコマンド又は専用ＲＲＣシグナリングでネットワークによって設定される。
適切なＳＳブロックが相変らず見つけられない場合、この時間が満了された後、ＵＥは、アイドル／非活性状態に対するセル再選択及び接続状態に対するＲＬＦ（すなわち、接続再設定）をトリガーリングする。
代案として、適切なＳＳブロックが相変らず見つけられない場合、この時間が満了された後、ＵＥは、すべてのＳＳブロック中で、若しくは測定が利用可能なＳＳブロック中で最も高い信号品質を有するＳＳブロックを選択する。
【０２４８】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）からＰＲＡＣＨプリアンブル及び／又はＰＲＡＣＨリソース（又はＰＲＡＣＨオケージョン）を選択する。
【０２４９】
≪方法１７≫
図２１は、本発明の実施形態による方法１７に基づいたＲＡＣＨ送信及び再送信のためのＵＥ動作を説明するためのフローチャートである。
【０２５０】
図２１を参照すると、動作２１０１で、ＵＥは、初期ＰＲＡＣＨプリアンブル送信のために適切なＳＳブロックを選択する。
ＳＳブロックは、ＳＳブロックの信号品質がしきい値‘ＳＳＢｌｏｃｋＴｈｒｅｓｈｏｌｄ’より大きい場合に適切である。
実施形態で、ＳＳブロックはＳＳブロックの信号品質がしきい値‘ＳＳＢｌｏｃｋＴｈｒｅｓｈｏｌｄ’より大きいか同一である場合に適切である。
‘ＳＳＢｌｏｃｋＴｈｒｅｓｈｏｌｄ’は、システム情報（例えば、ＰＲＡＣＨ設定と共に、又はＲＭＳＩで）又はハンドオーバーコマンド又は専用ＲＲＣシグナリングでネットワークによって設定される。
信号品質は、ＰＢＣＨに対するＰＳＳ及び／又はＳＳＳ及び／又はＤＭＲＳを搬送するＳＳブロックのリソースを介して測定される。
信号品質は、ＲＳＲＰ又はＲＳＲＱ又はＲＳＳＩであれば良い。
【０２５１】
この方法の、動作２１０２で、ＵＥは、先ず専用ＰＲＡＣＨプリアンブル及び／又はＰＲＡＣＨリソースが設定されるＳＳブロック中で適切なＳＳブロックが存在するか否かをチェックする。
専用ＰＲＡＣＨプリアンブル及び／又はＰＲＡＣＨリソースが設定される適切なＳＳブロックが見つけられると、ＵＥは、そのＳＳブロックを選択し、動作２１０３で選択されたＳＳブロックに対応する専用ＰＲＡＣＨプリアンブル及び／又はＰＲＡＣＨリソースを選択する。
多数のＳＳブロックが専用プリアンブル及び／又はリソースが設定される適切なＳＳブロックの場合に、ＵＥは、次の方式の中の一つでＳＳブロックを選択することができる。
【０２５２】
ＵＥは、適切なＳＳブロック中で最も高い信号品質を有するＳＳブロックを選択する。
ＵＥは、適切なＳＳブロック中で時間的に最も早く利用可能なＲＡＣＨリソース（又はＰＲＡＣＨオケージョン）に対応するＳＳブロックを選択する。
ＵＥは、適切なＳＳブロック中で同一の確率でＳＳブロック中の一つをランダムに選択する。
ＵＥは、適切なＳＳブロック中で任意のＳＳブロックを選択する。
【０２５３】
ＵＥは、ネットワークから（ＳＩ及び／又はハンドオーバーコマンド及び／又は専用ＲＲＣシグナリングでＰＲＡＣＨ設定の一部としてシグナリングされ得る）インディケーションに基づいて次の方法のうちの一つを選択することができる。
すなわち、適切なＳＳブロック中で最も高い信号品質を有するＳＳブロックを選択するか、適切なＳＳブロック中で時間的に最も早く利用可能なＲＡＣＨリソース（又はＰＲＡＣＨオケージョン）に対応するＳＳブロックを選択するか、適切なＳＳブロック中で同一の確率でＳＳブロック中の一つをランダムに選択する。
【０２５４】
専用ＰＲＡＣＨプリアンブル及び／又はＰＲＡＣＨリソースが設定されるＳＳブロック中で適切なＳＳブロックが見つけられない場合、動作２１０３で、ＵＥは、専用ＰＲＡＣＨプリアンブル及び／又はＰＲＡＣＨリソースが設定されるＳＳブロック中で最も高い信号品質を有するＳＳブロックを選択し、動作２１０４で選択されたＳＳブロックに対応する専用ＰＲＡＣＨプリアンブル及び／又はＰＲＡＣＨリソースを選択する。
【０２５５】
次に、動作２１０５で、ＵＥは、選択されたＳＳブロックに対応する選択されたＰＲＡＣＨプリアンブル及び／又はＰＲＡＣＨリソースを用いてＰＲＡＣＨプリアンブル（すなわち、Ｍｓｇ１）を送信する。
【０２５６】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２５７】
ＳＳブロックが専用ＰＲＡＣＨリソース（又はＰＲＡＣＨオケージョン）と関連付けられると、ＵＥは、専用ＰＲＡＣＨリソースからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソース（又はＰＲＡＣＨオケージョン）を選択する（利用可能であれば「専用」、そうでない場合「競合」）。
実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２５８】
ＰＲＡＣＨを送信するための電力を計算するため、ＵＥは、選択されたＳＳブロックで受信した信号に基づいて経路損失を推定する。
Ｍｓｇ１を送信した後、動作２１０６で、ＵＥは、Ｍｓｇ１送信に対応するＲＡＲ（すなわち、Ｍｓｇ２）が成功裏に受信したか否かを判断する。
ＵＥがＲＡＲを成功裏に受信する場合、動作２１０７で、Ｍｓｇ１を再送信する必要がない。
ＵＥがＲＡＲを受信することができない場合、動作２１０８で、ＵＥは、ＵＥが許容したＭｓｇ１送信の最大数を実行したか否かを判断する。
ＵＥがまだ許容したＭｓｇ１送信の最大数を実行しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、動作２１０９で、ＵＥは、以前Ｍｓｇ１送信のために選択されたＳＳブロックの信号品質がしきい値‘ＳＳＢｌｏｃｋＴｈｒｅｓｈｏｌｄ’より大きいか同一であるかを判断する。
以前Ｍｓｇ１送信のために選択されたＳＳブロックの信号品質が、しきい値‘ＳＳＢｌｏｃｋＴｈｒｅｓｈｏｌｄ’より大きいか同一であれば、ＵＥは、ＳＳブロックを再選択しない。
しきい値は、システム情報（例えば、ＰＲＡＣＨ設定と共に、又はＲＭＳＩで）又はハンドオーバーコマンド又は専用ＲＲＣシグナリングでネットワークによって設定される。
ＵＥは、再送信（すなわち、次のＭｓｇ１送信）のためのＰＲＡＣＨプリアンブル及び／又はＰＲＡＣＨリソース選択及び経路損失推定のために、以前送信のために選択されたものと同一のＳＳブロックを用いる。
再送信の間に、以前Ｍｓｇ１送信のために選択されたＳＳブロックの信号品質が、しきい値‘ＳＳＢｌｏｃｋＴｈｒｅｓｈｏｌｄ’より小さい場合、ＵＥは、動作２１１０でＳＳブロックを再選択する。
ＵＥは、適切なＳＳブロックを選択する。
適切なＳＳブロックが見つけられない場合、ＵＥは、再送信の間に適切なＳＳブロックを再選択する。
【０２５９】
この方法の代案的な実施形態として、ＳＳブロックの代りに、ＣＳＩ−ＲＳを用いることができる。
ＵＥは、ＳＳブロックに対して上述したように同一の手続きを用いてＳＳブロックの代りにＣＳＩ−ＲＳを選択する。
ＵＥは、選択されたＣＳＩ−ＲＳに対応するＰＲＡＣＨプリアンブル及び／又はＰＲＡＣＨリソース（又はＰＲＡＣＨオケージョン）のからＰＲＡＣＨプリアンブル及び／又はＰＲＡＣＨリソース（又はＰＲＡＣＨオケージョン）を選択する。
【０２６０】
上記した手続き（方法１〜１７）は、すべてＣＳＩ−ＲＳの場合で置き換えられ、ＣＳＩ−ＲＳの場合に対してシグナリングされるしきい値を用いることができる。
これは、ＣＳＩ−ＲＳ基盤のＲＡＣＨが適切なハンドオーバの場合とビーム復旧の場合に対して行われる。
ＣＳＩ−ＲＳに基づく一部手続を後述するが、これはＣＳＩ−ＲＳリソースを用いて実行される場合、ＲＡＣＨ手続きが失敗したり、最大制限に到達するＳＳブロックに基づいたフォールバックメカニズムを有する。
【０２６１】
≪方法１８≫
図２２は、本発明の実施形態による方法１８に基づいたＲＡＣＨ送信及び再送信のためのＵＥ動作を説明するためのフローチャートである。
【０２６２】
図２２を参照すると、ＵＥは、ＰＲＡＣＨプリアンブル送信のための適切なＣＳＩ−ＲＳブロックを選択する。
このような手続きは、ＳＳブロック基盤ＲＡＣＨの場合と類似である。
ＣＳＩ−ＲＳを用いる時、Ｍｓｇ１に対する最大再送信限界値に到達する時に、言及される手続きの変更は発生する。
次に、ＵＥに対するフォールバック（ｆａｌｌｂａｃｋ）ＲＡＣＨ手続きは、ハンドオーバーシナリオで、ゼロ割り込み時間を許容するために、ｇＮＢによってサポートされる。
【０２６３】
先ず、ＵＥは、動作２２０７でターゲットセルのＳＳブロックに基づいたＣＦＲＡＣＨ手続きがサポートされるか否かをチェックする。
サポートされていると、動作２２０８で、上述したＳＳブロックに基づいたＣＦ方法のうちの一つを行う。
ハンドオーバーコマンドを介してＵＥに設定及び指示されていない場合、ＵＥは、動作２２０９で、ターゲットセルのＳＳブロックに基づいて「競合基盤４−ステップＲＡＣＨ手続き」を実行しなければならない。
このため、設定がターゲットセルのＳＩを判読することによって取得される。
ＵＥが競合基盤ＲＡＣＨ手続きを実行しなければならない場合に、ＵＥは、上述した方法１〜６を用いることができる。
ＣＳＩ−ＲＳ測定値が適切なしきい値レベルを超えていないことをＵＥが見つける時、同一のメカニズムを用いることができる。
【０２６４】
ＲＡＣＨが成功することを期待して、ＲＡＣＨの実行を継続して行うか、そうでない場合、ＳＳ基盤ＲＡＣＨにフォールバックするか、ＵＥが接続状態に対するＲＬＦ（すなわち、接続再設定）をトリガーリングする。
このような手続きに対して、注目するキーポイントは、ＣＦリソースが設定されるＣＳＩ−ＲＳブロック中で最も高いＣＳＩ−ＲＳブロックＲＳＲＰを有したＣＳＩ−ＲＳブロックを選択し、同一のＣＳＩ−ＲＳブロックがＣＦランダムアクセス手続きの間のＭｓｇ１（再）送信のために用いられ、ＵＥに対して設定されたＣＦリソースから選択されたＣＳＩ−ＲＳブロックに対応するＰＲＡＣＨプリアンブル及び／又はＰＲＡＣＨリソースの選択が使用されるべきであるという事実である。
【０２６５】
このような手続きで、ＵＥは、動作２２０１で、適切なＣＳＩ−ＲＳ又はＣＦリソースが設定されたＣＳＩ−ＲＳのうちで最も高いＣＳＩ−ＲＳ  ＲＳＲＰを有するＣＳＩ−ＲＳを選択し、ＵＥは、動作２２０２で、専用ＰＲＡＣＨプリアンブル及び／又は選択されたＣＳＩ−ＲＳに対応するＰＲＡＣＨリソースを選択し、ＵＥは、動作２２０３で選択されたＣＳＩ−ＲＳリソースに対応する選択されたＰＲＡＣＨプリアンブル及び／又はＰＲＡＣＨリソースを用いてＰＲＡＣＨプリアンブル（すなわち、Ｍｓｇ１）を送信する。
【０２６６】
ＣＳＩ−ＲＳリソースが専用プリアンブルと関連付けられると、ＵＥは、そのＰＲＡＣＨプリアンブルを用いる。
そうでない場合、ＵＥは、選択されたＣＳＩ−ＲＳリソースに対応する競合基盤ＰＲＡＣＨプリアンブル又はＣＦプリアンブルの全体プール（ｐｏｏｌ）からＰＲＡＣＨプリアンブルをランダムに選択する。
【０２６７】
ＣＳＩ−ＲＳリソースが専用ＰＲＡＣＨリソース（又はＰＲＡＣＨオケージョン）と関連付けられると、ＵＥは、これからＰＲＡＣＨリソースを選択し、そうでない場合、ＵＥは、選択されたＣＳＩ−ＲＳリソースに対応する競合基盤ＲＡＣＨリソース（又はＰＲＡＣＨオケージョン）又はハンドオーバーＲＡＣＨの場合に意図されたリソース（又はＰＲＡＣＨオケージョン）の専用セットの全体プールからＰＲＡＣＨリソース（又はＰＲＡＣＨオケージョン）を選択する。
【０２６８】
Ｍｓｇ１を送信した後、動作２２０４で、ＵＥは、Ｍｓｇ１送信に対応するＲＡＲ（すなわち、Ｍｓｇ２）が成功裏に受信したか否かを判断する。
ＵＥがＲＡＲを成功裏に受信すると、動作２２０５で、Ｍｓｇ１を再送信する必要がない。
ＵＥがＲＡＲを受信することができない場合、動作２２０６で、ＵＥは、ＵＥが許容したＭｓｇ１送信の最大数を実行したか否かを判断する。
ＵＥがまだ許容したＭｓｇ１送信の最大数を送信しなかったら、ＵＥは、Ｍｓｇ１を再送信する。
ＵＥが許容したＭｓｇ１送信の最大数を実行したら、フォールバックが必要である。
【０２６９】
フォールバックが必要な場合に、ＵＥは、動作２２０８又は２２０９で、選択されたＳＳブロックに対応する選択されたＰＲＡＣＨプリアンブル及び／又はＰＲＡＣＨリソース用いてＰＲＡＣＨプリアンブル（すなわち、Ｍｓｇ１）を送信する。
【０２７０】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２７１】
ＳＳブロックが専用ＰＲＡＣＨリソース（又はＰＲＡＣＨオケージョン）と関連付けられると、ＵＥは、このようなサブセットからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）から最も早く利用可能なＰＲＡＣＨリソースを選択する（利用可能であれば「専用」、そうでない場合「競合」）。
実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２７２】
ＳＳブロックの場合に対するこれらのリソースは、ＵＥによって取られた決定に応じて、ＣＦ基盤又はＣＢ基盤のいずれかになる。
【０２７３】
≪方法１９≫
図２３は、本発明の実施形態による方法１９に基づいたＲＡＣＨ送信及び再送信のためのＵＥ動作を説明するためのフローチャートである。
【０２７４】
図２３を参照すれば、ＵＥは、動作２３０１で、ＰＲＡＣＨプリアンブル送信のための適切なＣＳＩ−ＲＳブロックを選択する。
このような手続きは、ＳＳブロック基盤ＲＡＣＨの場合と類似である。
言及される手続きの変更は、動作２３０３で、ＵＥがＣＳＩ−ＲＳ基盤ＲＡＣＨの場合に対するＣＦリソースがＵＥに設定されていないことを見つけた時に発生する。
このような場合に、ＵＥは、動作２３０４で、ＣＦ基盤、又は動作２３０５で、競合基盤の中の一つによりＳＳ基盤ＲＡＣＨリソースでフォールバックしなければならない。
ＵＥは、ＳＳ基盤ＲＡＣＨリソースがＣＳＩ−ＲＳリソースと反対に、最初で利用可能であるということを見つけた場合にもこのような動作を用いる。
これは、ＵＥがアクセス待機時間を減らし、ハンドオーバー割込み時間を最小化することを助けることができる。
【０２７５】
このような手続きで、ＵＥは、動作２３０１で、報告されたＣＳＩ−ＲＳ測定中で最も高いＣＳＩ−ＲＳ  ＲＳＰＲを有するＣＳＩ−ＲＳ又は適切なＣＳＩ−ＲＳを選択し、動作２３０２で、ＣＦ  ＰＲＡＣＨプリアンブル及び／又はＰＲＡＣＨリソースが選択されたＣＳＩ−ＲＳリソースに対して設定されたか否かを判断する。
ＵＥが選択されたＣＳＩ−ＲＳブロックに対応する無競合（すなわち、専用）ＰＲＡＣＨプリアンブル及び／又はＰＲＡＣＨリソースで設定されると、ＵＥは、動作２３０６で、選択されたブロックに対応する専用ＰＲＡＣＨプリアンブル及び／又はＰＲＡＣＨリソースを選択し、ＵＥは、動作２３０７で、選択されたＣＳＩ−ＲＳリソースに対応する選択されたＰＲＡＣＨプリアンブル及び／又はＰＲＡＣＨリソースを用いてＰＲＡＣＨプリアンブル（すなわち、Ｍｓｇ１）を送信する。
【０２７６】
ＣＳＩ−ＲＳリソースが専用プリアンブルと関連付けられると、ＵＥは、そのＰＲＡＣＨプリアンブルを用いる。
そうでない場合、ＵＥは、選択されたＣＳＩ−ＲＳリソースに対応する競合基盤ＰＲＡＣＨプリアンブル又はＣＦプリアンブルの全体プールからＰＲＡＣＨプリアンブルをランダムに選択する。
【０２７７】
ＣＳＩ−ＲＳリソースが専用ＰＲＡＣＨリソース（又はＰＲＡＣＨオケージョン）と関連付けられると、ＵＥは、これからＰＲＡＣＨリソースを選択し、そうでなければ、ＵＥは、選択されたＣＳＩ−ＲＳリソースに対応する競合基盤ＲＡＣＨリソース（又はＰＲＡＣＨオケージョン）又はハンドオーバーＲＡＣＨの場合に意図されたリソース（又はＰＲＡＣＨオケージョン）の専用セットの全体プールからＰＲＡＣＨリソース（又はＰＲＡＣＨオケージョン）を選択する。
【０２７８】
Ｍｓｇ１を送信した後、動作２３０８で、ＵＥは、Ｍｓｇ１送信に対応するＲＡＲ（すなわち、  Ｍｓｇ２）が成功裏に受されたか否かを判断する。
ＵＥがＲＡＲを成功裏に受信すると、動作２３０９で、Ｍｓｇ１を再送信する必要がない。
ＵＥがＲＡＲを受信することができない場合、動作２３１０で、ＵＥは、ＵＥが許容したＭｓｇ１送信の最大数を実行したか否かを判断する。
ＵＥがまだ許容したＭｓｇ１送信の最大数を送信しなかったら、ＵＥは、Ｍｓｇ１を再送信する。
ＵＥが許容したＭｓｇ１送信の最大数を実行したら、ＵＥは、Ｍｓｇ１を再送信しない。
【０２７９】
ＵＥが無競合（すなわち、専用）ＰＲＡＣＨプリアンブル及び／又はＰＲＡＣＨリソースで設定されない場合、フォールバックが必要である。
フォールバックが必要な場合に、ＵＥは、動作２３０３で、ターゲットセルのＳＳブロックに基づいたＣＦ  ＲＡＣＨ手続きがサポートされるかを確認し、ＵＥは、動作２３０４又は動作２３０５で、選択されたＳＳブロックに対応する選択されたＰＲＡＣＨプリアンブル及び／又はＰＲＡＣＨリソースを用いてＰＲＡＣＨプリアンブル（すなわち、Ｍｓｇ１）を送信する。
【０２８０】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２８１】
ＳＳブロックが専用ＰＲＡＣＨリソース（又はＰＲＡＣＨオケージョン）と関連付けられると、ＵＥは、このようなサブセットからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）からリソースを搬送する最も早く利用可能な時間スロットを選択する（利用可能であれば「専用」、そうでない場合「競合」）。
実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２８２】
ＳＳブロックの場合に対するこれらのリソースは、ＵＥによって取られた決定に応じて、ＣＦ基盤又はＣＢ基盤のいずれかになる。
【０２８３】
≪方法２０≫
図２４Ａ及び図２４Ｂは、本発明の実施形態による方法２０に基づいたＲＡＣＨ送信及び再送信のためのＵＥ動作を説明するためのフローチャートである。
【０２８４】
図２４Ａ及び図２４Ｂを参照すると、動作２４０１で、ＵＥは、ＰＲＡＣＨプリアンブル送信のための適切なＣＳＩ−ＲＳブロックを選択する。
このような手続きは、ＳＳブロック基盤ＲＡＣＨの場合と類似である。
言及される手続きの変更は、ＵＥが、動作２４１１で、ＣＦ  ＲＡＣＨ又はビーム復旧基盤ＲＡＣＨの場合に対してＲＡＣＨプリアンブルの再送信を実行しようする時に発生する。
選択されたＣＳＩ−ＲＳビーム／リソースの信号品質が、もう再送信の場合に実現可能ではないと見なされる時、ＵＥは、ＣＳＩ−ＲＳリソースの再選択を行う。
言い換えれば、ＵＥは、ＣＳＩ−ＲＳリソースに対する測定を再実行するか、突然の環境変化によって、一つのビームが遮断される場合に、有益な他のＣＳＩ−ＲＳリソースの過去の測定に依存することができる。
ＰＲＡＣＨを送信するための電力を計算するため、ＵＥは、選択されたＣＳＩ−ＲＳリソースで受信した信号に基づいて経路損失を推定する。
【０２８５】
このような手続きで、ＵＥは、動作２４０１で、報告されたＣＳＩ−ＲＳ測定中で最も高いＣＳＩ−ＲＳ  ＲＳＰＲを有するＣＳＩ−ＲＳ又は適切なＣＳＩ−ＲＳを選択し、動作２４０２で、ＣＦ  ＰＲＡＣＨプリアンブル及び／又はＰＲＡＣＨリソースが選択されたＣＳＩ−ＲＳリソースに対して設定されたか否かを判断する。
ＵＥが選択されたＣＳＩ−ＲＳブロックに対応する無競合（すなわち、専用）ＰＲＡＣＨプリアンブル及び／又はＰＲＡＣＨリソースで設定されると、ＵＥは、動作２４０６で、選択されたブロックに対応する専用ＰＲＡＣＨプリアンブル及び／又はＰＲＡＣＨリソースを選択し、ＵＥは、動作２４０７で、選択されたＣＳＩ−ＲＳリソースに対応する選択されたＰＲＡＣＨプリアンブル及び／又はＰＲＡＣＨリソースを用いてＰＲＡＣＨプリアンブル（すなわち、Ｍｓｇ１）を送信する。
【０２８６】
ＣＳＩ−ＲＳリソースが専用プリアンブルと関連付けられると、ＵＥは、そのＰＲＡＣＨプリアンブルを用いる。
そうでない場合、ＵＥは、選択されたＣＳＩ−ＲＳリソースに対応する競合基盤ＰＲＡＣＨプリアンブル又はＣＦプリアンブルの全体プールからＰＲＡＣＨプリアンブルをランダムに選択する。
【０２８７】
ＣＳＩ−ＲＳリソースが専用ＰＲＡＣＨリソース（又はＰＲＡＣＨオケージョン）と関連付けられると、ＵＥは、これからＰＲＡＣＨリソースを選択し、そうでない場合、ＵＥは、選択されたＣＳＩ−ＲＳリソースに対応する競合基盤ＰＲＡＣＨリソース（又はＰＲＡＣＨオケージョン）又はハンドオーバーＲＡＣＨの場合に意図されたリソース（又はＰＲＡＣＨオケージョン）の専用セットの全体プールからＰＲＡＣＨリソース（又はＰＲＡＣＨオケージョン）を選択する。
【０２８８】
Ｍｓｇ１を送信した後、動作２４０８で、ＵＥは、Ｍｓｇ１送信に対応するＲＡＲ（すなわち、Ｍｓｇ２）が成功裏に受信したか否かを判断する。
ＵＥがＲＡＲを成功裏に受信すると、動作２４０９で、Ｍｓｇ１を再送信する必要がない。
ＵＥがＲＡＲを受信することができない場合、動作２４１０で、ＵＥは、ＵＥが許容したＭｓｇ１送信の最大数を実行したか否かを判断する。
ＵＥがまだ許容したＭｓｇ１送信の最大数を送信しない場合、ＵＥは、Ｍｓｇ１を再送信する。
ＵＥが許容したＭｓｇ１送信の最大数を実行した場合、ＵＥは、Ｍｓｇ１を再送信しない。
再送信の間に、ＵＥは、動作２４１１で、以前Ｍｓｇ１送信に対して選択されたＣＳＩ−ＲＳブロックの信号品質がＣＳＩ−ＲＳブロックしきい値より大きいか同一であるかを判断する。
以前Ｍｓｇ１送信に対して選択されたＣＳＩ−ＲＳブロックの信号品質が、しきい値より大きいか同一であれば、ＵＥは、ＣＳＩ−ＲＳブロックを再選択しない。
以前Ｍｓｇ１送信に対して選択されたＣＳＩ−ＲＳブロックの信号品質が、しきい値より小さい場合、ＵＥは、動作２４１２で、ＣＳＩ−ＲＳブロックを再選択する。
ＵＥは、ｇＮＢによって送信されたすべてのＣＳＩ−ＲＳブロック中で最も高い信号品質を有するＣＳＩ−ＲＳブロックを選択する。
他の実施形態として、ＵＥは、測定が可能なすべてのＣＳＩ−ＲＳブロック中で最も高い信号品質を有するＣＳＩ−ＲＳブロックを選択する。
【０２８９】
ＵＥが無競合（すなわち、専用）ＰＲＡＣＨプリアンブル及び／又はＰＲＡＣＨリソースで設定されない場合、フォールバックが必要である。
フォールバックが必要な場合に、ＵＥは、動作２４０３で、ターゲットセルのＳＳブロックに基づいたＣＦ  ＲＡＣＨ手続きがサポートされるか否かを確認し、ＵＥは、動作２４０４又は動作２４０５で、選択されたＳＳブロックに対応する選択されたＰＲＡＣＨプリアンブル及び／又はＰＲＡＣＨリソースを用いてＰＲＡＣＨプリアンブル（すなわち、Ｍｓｇ１）を送信する。
【０２９０】
ＳＳブロックが専用プリアンブルと関連付けられると、ＵＥは、そのＰＲＡＣＨプリアンブルを用いる。
そうでない場合、ＵＥは、選択されたＳＳブロックに対応する競合基盤ＰＲＡＣＨプリアンブルからＰＲＡＣＨプリアンブルをランダムに選択する。
【０２９１】
ＳＳブロックが専用ＰＲＡＣＨリソース（又はＰＲＡＣＨオケージョン）と関連付けられると、ＵＥは、このようなサブセットからＰＲＡＣＨリソース（又はＰＲＡＣＨオケージョン）を選択し、そうでない場合、ＵＥは、選択されたＳＳブロックに対応する競合基盤ＰＲＡＣＨリソース（又はＰＲＡＣＨオケージョン）からＰＲＡＣＨリソース（ＰＲＡＣＨオケージョン）を選択する。
ＵＥは、選択されたＳＳブロックに対応するＰＲＡＣＨリソース（又はＰＲＡＣＨオケージョン）からＰＲＡＣＨリソースを搬送する最も早く利用可能な時間スロットを選択する（利用可能であれば「専用」、そうでない場合「競合」）。
実施形態で、ＵＥは、選択されたＳＳブロックに対応する設定されたＰＲＡＣＨリソース（又はＰＲＡＣＨオケージョン）から一つのＰＲＡＣＨリソース（又はＰＲＡＣＨオケージョン）をランダムに選択する（利用可能であれば「専用」、そうでない場合「競合」）。
多数の周波数分割多重ＰＲＡＣＨリソース（又はＰＲＡＣＨオケージョン）が選択されたＳＳブロックに対応する時間内に利用可能な場合に、ＵＥは、利用可能な多数の周波数分割多重ＰＲＡＣＨリソース（又はＰＲＡＣＨオケージョン）から同一の確率で一つのＰＲＡＣＨリソース（又はＰＲＡＣＨオケージョン）をランダムに選択する。
ＵＥは、ＰＲＡＣＨプリアンブルの設定されたセットから同一の確率でＰＲＡＣＨプリアンブルをランダムに選択する。
【０２９２】
ＳＳブロックの場合に対するこれらのリソースは、ＵＥによって取られた決定に応じて、ＣＦ基盤又はＣＢ基盤のいずれかになる。
【０２９３】
≪第１送信されたＭｓｇ１に対してＲＡＲを待機する前又は待機する間の多数のＭｓｇ１送信≫
ＵＥでのＴｘ／Ｒｘビーム対応（ｂｅａｍ  ｃｏｒｒｅｓｐｏｎｄｅｎｃｅ）は次のいずれかの少なくとも一つが満足される場合に維持する。
【０２９４】
ＵＥは、ＵＥの一つ以上のＲｘビーム上でＵＥのダウンリンク測定に基づいてアップリンク送信のためのＵＥ  Ｔｘビームを決定する。
ＵＥは、ＵＥの一つ以上のＴｘビーム上でアップリンク測定に基づいた送受信点（ＴＲＰ）のインディケーションに基づいてダウンリンク受信のためのＵＥ  Ｒｘビームを決定する。
ＵＥでのＴｘ／Ｒｘビーム対応は、ＵＥ能力を維持するか、ＵＥ能力に依存しない。
【０２９５】
無競合シナリオ（例えば、ハンドオーバー）に対し、ＵＥは、専用プリアンブルで設定される。
ＵＥで、ＴＸ／ＲＸ対応が存在しなければ、ＵＥが特定ＵＥ  ＴＸビームが分からないので、ＵＥは、多数のＵＥ  ＴＸビームを用いてＰＲＡＣＨメッセージ１（すなわち、専用ＰＲＡＣＨプリアンブル）を送信する必要があり、これからの送信は、ｇＮＢによって受信される。
【０２９６】
図２５は、ＵＥがＲＡＲウィンドウの前にＭｓｇ１送信を一回だけ行う例を示す。
図２５を参照すると、ＵＥは、ＲＡＣＨ送信オケージョンでＵＥ  ＴＸビームを用いてＰＲＡＣＨメッセージ１を送信し、ＲＡＲウィンドウでＲＡＲを待機する。
ＲＡＲが受信されなければ、ＵＥは、他のＲＡＣＨ送信オケージョンなどで他のＵＥ  ＴＸビームを用いてＰＲＡＣＨメッセージ１を送信する。
これはターゲットセルに対するアクセスが大幅に遅れる場合がある。
【０２９７】
ＵＥがＲＡＲウィンドウをモニタリングする前に、一つ以上のＲＡＣＨ送信オケージョンでＰＲＡＣＨプリアンブルを送信するように許容すると、遅延が減少させることができる。
【０２９８】
図２６Ａ及び図２６Ｂは、本発明の多様な実施形態によるＲＡＲウィンドウの前に複数のＭｓｇ１送信が実行される２つの例を説明するための図である。
図２６Ａを参照すると、ＵＥは、周波数ドメインに設定されるＲＡＣＨ送信オケージョンで「Ｍｓｇ．１」を送信する。
これはＵＥが単一アンテナパネルを用い、ただ一つの方向でビームを生成することによって、ＵＥが多数のアンテナパネルを有する場合だけが可能である。
【０２９９】
図２６Ｂを参照すると、ＵＥは、時間ドメインに設定されるＲＡＣＨ送信オケージョンで「Ｍｓｇ．１」を送信する。
ビーム対応無しにＵＥは、相違するＲＡＣＨ  ＴＸオケージョンで相違するＵＬ  ＴＸビームを介して「Ｍｓｇ．１」を送信し、より少ない遅延でターゲットセルにアクセスする。
【０３００】
上述したシナリオにおける問題のうちの一つは、ＲＡＲモニタリング（すなわち、それぞれの送信されたＭｓｇ１に対して単一ＲＡＲウィンドウ又は別個のＲＡＲウィンドウが存在するか）である。
ＵＥが次の方式のうちの一つで多数のＭｓｇ１を送信する時、ＵＥは、ＲＡＲを受信するためにＲＡＲウィンドウをモニタリングすることができるを提案する。
ＵＥがＲＡＲウィンドウをモニタリングする前、又はモニタリングするうちに送信することができるＭｓｇ１の数は、ネットワークによって（例えば、システム情報又はＲＲＣシグナリング又はハンドオーバーコマンドで）設定される。
【０３０１】
≪オプション１≫
図２７は、本発明の実施形態によるオプション１に基づく最初に送信されたＭｓｇ１に対するＲＡＲ以前又はＲＡＲを待機する中の複数のＭｓｇ１送信を説明するための図である。
【０３０２】
図２７を参照すると、ＵＥは、送信時間間隔（ＴＴＩ）「Ｘ」で、第１Ｍｓｇ１を送信する。
ＵＥが第１Ｍｓｇ１を送信することができる送信オケージョンは、ネットワークによって示される。
ＲＡＲウィンドウは、ＴＴＩ「Ｘ＋オフセット」から開始し、ここで、オフセットは、ネットワークによって（例えば、システム情報又はＲＲＣシグナリング又はハンドオーバーコマンドで）事前定義されるか設定される。
オフセットは「０」であれば良い。
ＲＡＲウィンドウは、ＴＴＩ「Ｚ」で終了され、ここで、ＴＴＩ「Ｚ」は、ＴＴＩ「Ｘ＋オフセット＋ＲＡＲウィンドウ長さ」と同一であり、ＲＡＲウィンドウ長さは、ネットワークによって（例えば、システム情報又はＲＲＣシグナリングで）設定される。
ＴＴＩ「Ｘ＋１」からＴＴＩ「Ｚ−オフセット」まで、ＵＥは、利用可能なＰＲＡＣＨＴＸオケージョンで付加的なＭｓｇ１を送信する。
ＵＥによって送信されたそれぞれの付加的なＭｓｇ１に対し、ＴＴＩ「Ｘ＋１」からＴＴＩ「Ｚ−オフセット」まで、ＵＥは、ＲＡＲウィンドウで（すなわち、ＴＴＩ「Ｘ＋オフセット」からＴＴＩ「Ｘ＋オフセット＋ＲＡＲウィンドウ長さ」まで）ＲＡＲをモニタリングする。
ＵＥは、それぞれの送信されたＭｓｇ１のＲＡ−ＲＮＴＩ及びＲＡＰＩＤに対応するＲＡＲをモニタリングする。
ＵＥがＵＥによって送信された任意のＭｓｇ１に対してＲＡＲを受信すると直ぐに、ＲＡＲの受信が成功したとみなし、間隔ＴＴＩ「Ｘ＋１」〜ＴＴＩ「Ｚ−オフセット」で付加的なＭｓｇ１を送信しない。
【０３０３】
≪オプション２≫
図２８及び図２９は、本発明の実施形態によるオプション２に基づく最初に送信されたＭｓ１に対するＲＡＲ以前又はＲＡＲを待機する中の複数のＭｓｇ１送信を説明するための図である。
【０３０４】
この方法で、ＲＡＣＨ  ＴＸオケージョンの一つ以上のセットは、（例えば、システム情報又はＲＲＣシグナリング又はハンドオーバーコマンドで）ネットワークによって設定される。
それぞれのセットは、Ｎ個のＴＸオケージョンから構成される。
Ｎは、ネットワークによって設定可能である。
Ｎは、ＵＥが能力シグナリングでｇＮＢに報告することができるＵＥでのＴＸビームの数に基づいて設定され得る。
それぞれのセットのＴＸオケージョンは、隣接したり隣接しないこともある。
それぞれのＴＸオケージョンのセットは、ＤＬ  ＴＸビームを示すためにＳＳブロック又はＣＳＩ−ＲＳと関連付けられる。
このような関連付けの場合に、それぞれのセットと関連付けられたＳＳブロックＩＤ又はＣＳＩ−ＲＳ  ＩＤは、ネットワークによって示される。
代案として、セット内のそれぞれのＴＸオケージョンは、一つ又は多数のＴＸオケージョンが同一のＳＳブロック又はＣＳＩ−ＲＳと関連付けられることができるＤＬ  ＴＸビームを示すためにＳＳブロック又はＣＳＩ−ＲＳと関連付けられる。
代案として、ＴＸオケージョンは、ＳＳブロック又はＣＳＩ−ＲＳにマッピングされない。
ＵＥにはＳＳブロック又はＣＳＩ−ＲＳに対応するプリアンブルが割り当てられることができ、このような割り当ては、一部ＳＳブロック又はＣＳＩ−ＲＳに対することであれば良い。
【０３０５】
ＵＥは、ＴＸオケージョンのセットを用いてＭｓｇ１を送信する。
ＲＡＲウィンドウは、図２８に示したようにＲＡＣＨ  ＴＸオケージョンのセットの終了からのオフセットで開始する。
【０３０６】
ＵＥは、ＲＡＲウィンドウでそれぞれの送信されたＭｓｇ１のＲＡ−ＲＮＴＩ及びＲＡＰＩＤに対応するＲＡＲをモニタリングする。
ＵＥが、ＵＥによって送信された任意のＭｓｇ１に対するＲＡＲを受信すると直ぐに、ＵＥは、これをＲＡＲの受信の成功とみなさなければならない。
代案的な実施形態として、ＲＡＲウィンドウは、図２９に示したようにＲＡＣＨ  ＴＸオケージョンのセットで、第１ＲＡＣＨ  ＴＸオケージョンの終了からのオフセットで開始する。
【０３０７】
≪オプション３≫
図３０は、本発明の実施形態によるオプション３に基づく最初に送信されたＭｓｇ１に対するＲＡＲ以前又はＲＡＲを待機する中の複数のＭｓｇ１送信を説明するための図である。
【０３０８】
この方法では、オプション１のように第１Ｍｓｇ１に対するＴＸオケージョンのインデ−ケイション又はオプション２のようなＴＸオケージョンのセットのような特別なシグナリングが必要ではない。
ＰＲＡＣＨリソースは、ＵＥが多数のＭｓｇ１を送信するように許容するか否かにかかわらず同一の方式に設定される。
ＵＥによって送信されるすべてのＭｓｇ１に対するこのような方法では、独立的なＲＡＲウィンドウがある。
ＵＥによって送信された多数のＭｓｇ１の場合、ＵＥは、ＲＡＲウィンドウが重ねることができる多数のＲＡＲウィンドウでＲＡＲをモニタリングする。
ＵＥは、対応するＲＡＲウィンドウでそれぞれの送信されたＭｓｇ１のＲＡ−ＲＮＴＩ及びＲＡＰＩＤに対応するＲＡＲをモニタリングする。
ＵＥがＵＥによって送信された任意のＭｓｇ１に対するＲＡＲを受信すると直ぐに、ＵＥは、これをＲＡＲの受信の成功とみなさななければならない。
【０３０９】
≪ＲＲＣ  Ｉｄｌｅ又はＩｎａｃｔｉｖｅ状態でＵＥによってリクエストされるＲＲＣ接続リクエスト／接続再開リクエスト及びＳＩリクエストに基づいたＭｓｇ１の間の優先順位≫
【０３１０】
〔シナリオ〕
ＵＥは、オンデマンド基盤（ｏｎ  ｄｅｍａｎｄ−ｂａｓｉｓ）でＳＩ取得を開始する。
ＳＩリクエストを送信するためにランダムアクセス手続き（２段階Ｍｓｇ１基盤ＳＩリクエスト又は４段階Ｍｓｇ３基盤ＳＩリクエスト）を開始する。
ＳＩリクエスト手続き又はランダムアクセス手続きは、ＵＥがＵＥによって送信されたＳＩリクエストに対する確認応答（Ｍｓｇ１基盤ＳＩリクエストに対してはＭｓｇ２で、Ｍｓｇ４基盤ＳＩリクエストに対してはＭｓｇ４で）を受信する時、完了する。
ＳＩリクエスト手続きの完了後に、ＵＥは、リクエストされたＳＩメッセージを受信するために、リクエストされたＳＩメッセージの一つ以上のＳＩウィンドウをモニタリングする。
ＳＩリクエストの開始からＳＩリクエストに対する確認応答の受信までの時間間隔中に、ＵＥは、接続リクエスト／接続再開リクエストをトリガーリングする。
トリガーは、位置アップデート又はＲＡＮ領域アップデート又はペイジング受信又はモバイル発信通話によって、若しくは、仕様に特定されるような任意の他の理由によるものである。
ＳＩリクエスト手続きが進行中であるため、ＳＩリクエスト手続きの完了後に接続セットアップが発生する可能性がある。
しかし、これは接続セットアップを遅延させる可能性がある。
【０３１１】
本発明の一実施形態で、ＵＥは、ＳＩリクエストを介して接続セットアップ（すなわち、接続リクエスト／接続再開リクエスト）を優先することが提案される。
ＵＥは、進行中のＳＩリクエスト手続きを終了し、接続リクエスト／接続再開リクエストの送信を開始する。
Ｍｓｇ１基盤ＳＩリクエストの場合、ＳＩリクエストを送信するための進行中のランダムアクセス手続きは終了する。
接続リクエスト／接続再開リクエストを送信するためのランダムアクセス手続きは、ＵＥによって開始される。
Ｍｓｇ３基盤ＳＩリクエストの場合、ＳＩリクエストを送信するための進行中のランダムアクセス手続きは終了しない。
進行中のランダムアクセス手続きの間に、接続リクエスト／接続再開リクエストは送信される。
ＳＩリクエストは、接続のセットアップ後に送信される。
【０３１２】
一具現では、ＲＲＣは、ＳＩリクエストの送信を開始する。
ＲＲＣが下位階層からＳＩリクエスト確認応答を待機する間に、（例えば、上位階層からのインディケーションに基づいて）ＲＲＣ接続リクエスト／再開リクエストがトリガーリングされる。
ＵＥのＲＲＣは、ＳＩリクエストの送信を終了するために下位階層（すなわち、ＭＡＣ）に通知する。
ＲＲＣは、送信のために、下位階層にＲＲＣ接続リクエスト／ＲＲＣ接続再開リクエストを送信する。
Ｍｓｇ１基盤ＳＩリクエストの場合、ＭＡＣ階層は、上位階層（すなわち、ＲＲＣ）からのインディケーションに基づいてＭｓｇ１基盤ＳＩリクエストに対する進行中のＲＡ手続きを終了する。
Ｍｓｇ３基盤ＳＩリクエストの場合、ＭＡＣ階層は、進行中のＲＡ手続きを継続し、ランダムアクセス手続きの間に、接続リクエスト／接続再開リクエストは送信される。
【０３１３】
本発明の他の実施形態で、接続セットアップに必須であるか、接続セットアップのために何れ（例えば、アクセス制御パラメーター）か必要な一つ以上のＳＩを取得するためにＳＩリクエストが開始された場合、ＵＥは、ＲＲＣ接続リクエスト／再開リクエストよりもＳＩリクエストを優先することが提案される。
ＵＥは、進行中のＳＩリクエストを終了しない。
ＳＩリクエストが、必須ではないか、又は、接続セットアップに必要ではない一つ以上のＳＩを取得するために開始された場合、ＵＥは、ＳＩリクエストよりもＲＲＣ接続リクエスト／再開リクエストを優先する。
ＵＥは、進行中のＳＩリクエストを終了し、接続リクエスト／接続再開リクエストの送信を開始する。
Ｍｓｇ１基盤ＳＩリクエストの場合、ＳＩリクエストを送信するための進行中のランダムアクセス手続きは、終了する。
接続リクエスト／接続再開リクエストを送信するためのランダムアクセス手続きは、ＵＥによって開始する。
Ｍｓｇ３基盤ＳＩリクエストの場合、ＳＩリクエストを送信するための進行中のランダムアクセス手続きは、終了しない。
進行中のランダムアクセス手続きの間に、接続リクエスト／接続再開リクエストは送信される。
ＳＩリクエストは、接続セットアップ後に送信される。
【０３１４】
本発明の他の実施形態で、接続セットアップが、一つ以上の事前定義されたアクセスカテゴリーに対するものであるか、接続セットアップが高い優先順位（例えば、特定された値より大きい優先順位）の特定アクセスカテゴリーに対するものであるか、又は接続セットアップがＳＩリクエストよりさらに優先される仕様で定義された一つ以上のサービスに対するものである場合、ＵＥは、ＳＩリクエストよりも接続セットアップ（すなわち、接続リクエスト／接続再開リクエスト）を優先することが提案される。
ＵＥは、進行中のＳＩリクエストを終了し、接続リクエスト／接続再開リクエストの送信を開始する。
Ｍｓｇ１基盤ＳＩリクエストの場合、ＳＩリクエストを送信するための進行中のランダムアクセス手続きは終了する。
接続リクエスト／接続再開リクエストを送信するためのランダムアクセス手続きは、ＵＥによって開始する。
Ｍｓｇ３基盤ＳＩリクエストの場合、ＳＩリクエストを送信するための進行中のランダムアクセス手続きは終了しない。
進行中のランダムアクセス手続きの間に、接続リクエスト／接続再開リクエストは送信される。
ＳＩリクエストは、接続セットアップ後に送信される。
【０３１５】
本発明の一実施形態で、ネットワークは、ＵＥがＳＩリクエストよりも接続セットアップ（すなわち、接続リクエスト／接続再開リクエスト）を優先する必要があるかどうかをＳＩで示すことができる。
【０３１６】
≪Ｍｓｇ３で送信された接続リクエスト／接続再開リクエストのためのＭｓｇ４とＳＩリクエストのためのＭｓｇ４の区別≫
【０３１７】
〔シナリオ〕
ＲＡＲの成功裏の受信後、ＵＥは、ＲＡＲで受信したＵＬ承認でＭｓｇ３を送信する。
Ｍｓｇ３は、共通制御チャンネル（ＣＣＣＨ）サービスデータユニット（ＳＤＵ）（すなわち、システム情報リクエストメッセージ）を含む。
システム情報リクエストメッセージは、ＲＲＣによって生成される。
ＵＥが用いるＳＩＢに関する情報は、システム情報リクエストメッセージに含まれる。
ＵＥ１とＵＥ２がいずれも同一のＰＲＡＣＨプリアンブル及びＰＲＡＣＨリソースを用いてＭｓｇ１を送信してＲＡＲを受信すると、Ｍｇｓ３でＳＩリクエストを送信するＵＥ１と、Ｍｓｇ３で（接続リクエストのような）他のＲＲＣメッセージを送信する他のＵＥ２との間で衝突が起こる可能性がある。
ＵＥのうちの一つからのＭｓｇ３が成功であれば良い。
ｇＮＢは、受信したＭｓｇ３に応答してＭｓｇ４を送信する。
Ｍｓｇ３で受信したＣＣＣＨ  ＳＤＵのｘビット（ＬＴＥで４８ビット）を搬送する競合解決ＭＡＣ制御要素（ＣＥ）は、Ｍｓｇ４に含まれる。
競合解決ＭＡＣ  ＣＥを搬送する送信ブロック（ＴＢ）は、Ｔ−ＣＲＮＴＩ（ｔｅｍｐｏｒａｒｙ−ｃｅｌｌ  ｒａｄｉｏ  ｎｅｔｗｏｒｋ  ｔｅｍｐｏｒａｒｙ  ｉｄｅｎｔｉｆｉｅｒ）にアドレッシングされるＰＤＣＣＨ（ｐｈｙｓｉｃａｌ  ｄｏｗｎｌｉｎｋ  ｃｏｎｔｒｏｌ  ｃｈａｎｎｅｌ）によってスケジューリングされる（Ｔ−ＣＲＮＴＩは、ＲＡＲでｇＮＢによってＵＥに先ず送信されることを注目する）。
Ｔ−ＣＲＮＴＩでのＰＤＣＣＨアドレスによってスケジューリングされたＴＢで、ＵＥでのＭＡＣ階層は、ＭＡＣ  ＰＤＵが競合解決ＭＡＣ  ＣＥを含むかどうかをチェックする。
ＳＩリクエストのためのＭｓｇ３でのＣＣＣＨ  ＳＤＵのＸビットと接続リクエスト（又は他のメッセージ）のためのＭｓｇ３でのＣＣＣＨ  ＳＤＵのＸビットは、同一であれば良い。
したがって、受信したＭｓｇ４がＭｓｇ３に対応する否かを判断する時、曖昧なことがあり得る。
【０３１８】
本発明の一実施形態で、ＳＩリクエストは、ＵＥによって用いられたＳＩＢに関する情報の以外にＵＥアイデンティティー（例えば、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）又はＳ−ＴＭＳＩ（ｓｙｓｔｅｍ  ａｒｃｈｉｔｅｃｔｕｒｅ  ｅｖｏｌｕｔｉｏｎ−ｔｅｍｐｏｒａｒｙ  ｍｏｂｉｌｅ  ｓｕｂｓｃｒｉｂｅｒ  ｉｄｅｎｔｉｔｙ）又はＳＵＰＩ（ｓｕｂｓｃｒｉｂｅｒ  ｐｅｒｍａｎｅｎｔ  ｉｄｅｎｔｉｆｉｅｒ）又はシステムに定義された任意の他のＵＥアイデンティティー）を含むべきであることが提案される。
上述したシナリオで、これはＵＥ１によって送信されたＳＩリクエストのためのＭｓｇ３でのＣＣＣＨ  ＳＤＵのＸビットと、ＵＥ２によって送信された接続リクエスト（又は他のメッセージ）のためのＭｓｇ３でのＣＣＣＨ  ＳＤＵのＸビットとが同じではないことを保障する。
ｇＮＢがＵＥ１からＳＩリクエストを搬送するＭｓｇ３を受信したら、ＵＥ１はＭｓｇ４を受信し、競合解決ＭＡＣ  ＣＥのコンテンツは、Ｍｓｇ３で、これによって送信されたＣＣＣＨ  ＳＤＵのｘビットと一致する。
ＵＥ２はさらに（Ｔ−ＣＲＮＴＩがＵＥ１及びＵＥ２のいずれもによって受信されることによって）Ｍｓｇ４を受信することができるが、競合解決ＭＡＣ  ＣＥのコンテンツは、Ｍｓｇ３で、これによって送信されたＣＣＣＨ  ＳＤＵのｘビットと一致しない。
ｇＮＢがＵＥ２から接続リクエストを搬送するＭｓｇ３を受信したら、ＵＥ２はＭｓｇ４を受信し、競合解決ＭＡＣ  ＣＥのコンテンツは、Ｍｓｇ３で、これによって送信されたＣＣＣＨ  ＳＤＵのｘビットと一致する。
ＵＥ１はさらにＭｓｇ４を受信することができるが、競合解決ＭＡＣ  ＣＥのコンテンツは、Ｍｓｇ３で、これによって送信されたＣＣＣＨ  ＳＤＵのｘビットと一致しないだろう。
【０３１９】
本発明の代案的な実施形態で、ＵＥアイデンティティーは、システム情報リクエストメッセージに含まれないということが提案される。
Ｍｓｇ４に含むために２つのタイプのＭＡＣ  ＣＥが定義される。
一つは、ＳＩリクエストを有するＭｓｇ３の受信に応答してＭｓｇ４が送信される場合に対するもので、他の一つは、ＳＩリクエストと異なるメッセージ（例えば、接続リクエスト、接続再開リクエスト）を有するＲＭｓｇ３の受信に応答してＭｓｇ４が送信される場合に対するものである。
一実施形態で、２つのＭＡＣ  ＣＥが、ＭＡＣ  ＣＥのＭＡＣサブヘッダーに含まれるようにするために予約された論理チャンネル識別子（ＬＣＩＤ）は同一であり、タイプフィールドは、ＭＡＣ  ＣＥのコンテンツに含まれる。
このようなタイプフィールドは、このようなＭＡＣ  ＣＥがＳＩリクエストに応答するか否かを区別する。
他の実施形態で、別個のＬＣＩＤは、それぞれのＭＡＣ  ＣＥのために予約される。
一つのＭＡＣ  ＣＥは、競合解決ＭＡＣ  ＣＥで、他のＭＡＣ  ＣＥは、ＳＩ  ＡＣＫ  ＭＡＣ  ＣＥである。
Ｍｓｇ３での接続リクエスト／再開リクエストのためのＭｓｇ４は、競合解決ＭＡＣ  ＣＥを含む。
Ｍｓｇ３でのＳＩリクエストのためのＭｓｇ４は、ＳＩ  ＡＣＫ  ＭＡＣ  ＣＥを含む。
競合解決ＭＡＣ  ＣＥは、Ｍｓｇ３に含まれたＣＣＣＨ  ＳＤＵのｘビットを含む。
ＳＩ  ＡＣＫ  ＭＡＣ  ＣＥは、Ｍｓｇ３に含まれたＣＣＣＨ  ＳＤＵのｘビットを含む。
代案として、ＳＩ  ＡＣＫ  ＭＡＣ  ＣＥは、一つ以上のＳＩＢタイプ又はＳＩメッセージインデックスのリストを含む。
代案として、ＳＩ  ＡＣＫ  ＭＡＣ  ＣＥは、それぞれのビットがＳＩＢ又はＳＩメッセージに対応するビットマップを含む。
例えば、ビットマップが、「ｂ０ｂ１ｂ２ｂ３ｂ４」であれば、ビットマップでのＭＳＢ「ｂ０」は、ＳＩＢ１でのＳＩメッセージ（又はＳＩＢタイプ）のリストでの第１ＳＩメッセージ（又はＳＩＢタイプ）に対応し、ビットマップでの「ｂ１」は、ＳＩＢ１でのＳＩメッセージ（又はＳＩＢタイプ）のリストでの第２ＳＩメッセージ（又はＳＩＢタイプ）に対応する。
代案として、ビットマップが「ｂ０ｂ１ｂ２ｂ３ｂ４」であれば、ビットマップでの最下ビット（ＬＳＢ）「ｂ４」は、ＳＩＢ１でのＳＩメッセージ（又はＳＩＢタイプ）のリストでの第１ＳＩメッセージ（又はＳＩＢタイプ）に対応し、ビットマップでの「ｂ３」は、ＳＩＢ１でのＳＩメッセージ（又はＳＩＢタイプ）のリストでの第２ＳＩメッセージ（又はＳＩＢタイプ）に対応する。
ＭＡＣ  ＣＥでのビットマップの長さは、固定され得る。
代案として、ＭＡＣ  ＣＥでのビットマップの長さは可変的であってもよい。
長さは、ＳＩＢ１でのＳＩメッセージ（又はＳＩＢタイプ）のリストでのＳＩメッセージ（又はＳＩＢタイプ）の数と同一であってもよい。
【０３２０】
≪プリエンプションインディケーション及びＤＲＸ非活性タイマー処理≫
【０３２１】
〔シナリオ〕
ｇＮＢは、ＰＤＣＣＨを送信することによってパケット（ＤＬ又はＵＬ）をスケジューリングする。
ＤＲＸ周期の持続時間の間に、ｇＮＢは非活性タイマーを（まだ実行中ではない場合）開始したり、（非活性タイマーがもう実行中の場合）リセットする。
ＵＲＬＬパケットとｅＭＢＢパケットとの間の衝突を避けるため、ｇＮＢはスケジューリングされたＤＬパケットの受信をスキップ（又は中断）したり、スケジューリングされたＵＬパケットの送信をスキップするために、プリエンプションインディケーションを以後に送信する。
ＧＮＢは、以後で中断されたパケットをさらにスケジューリングするか、スケジューリングしないこともある。
【０３２２】
本発明の実施形態で、ＵＥがスケジューリングされたパケット送信又は受信を中断させるプリエンプションインディケーションを受信すると、ＵＥは、中断されたパケットをスケジューリングするＰＤＣＣＨを受信した時、非活性タイマーが開始される場合に非活性タイマー（実行される場合）を中止しなければならない。
本発明の他の実施形態で、ＵＥがスケジューリングされたパケット送信又は受信を中断させるプリエンプションインディケーションを受信すると、ＵＥは、中断されたパケットをスケジューリングするＰＤＣＣＨを受信した時、非活性タイマーが開始し、タイマーの開始以後の経過された時間間隔がしきい値より大きいか、しきい値より小さい場合に非活性タイマー（実行される場合）を中止しなければならない。
しきい値は、ネットワークによって事前定義されるか、シグナリングされる。
【０３２３】
図３１は、本発明の実施形態によるＵＥ（ユーザ装置）の概略構成を示すブロック図である。
図３１を参照すると、ＵＥは、送受信機３１１０、制御機３１２０及びメモリー３１３０を含む。
【０３２４】
送受信機３１１０、制御機３１２０、及びメモリー３１３０は、上述したＵＥの動作を行うように構成される。
送受信機３１１０、制御機３１２０、及びメモリー３１３０を別個のエンティティー（実体）として示しているが、これは単一チップのような単一エンティティーとして実現することができる。
送受信機３１１０、制御機３１２０、及びメモリー３１３０は、互いに電気的に接続され得、結合され得る。
【０３２５】
送受信機３１１０は、信号を他のネットワークエンティティー、例えば、ＢＳに送信し、そこから信号を受信する。
【０３２６】
制御機３１２０は、上述した実施形態のうちの一つによって機能を行うようにＵＥを制御する。
例えば、制御機３１２０は、送受信機が基地局（ＢＳ）から同期信号（ＳＳ）ブロックと関連付けされたＲＡリソースに関する設定情報を受信することを制御し、送受信機が基地局から一つ以上のＳＳブロックを受信することを制御し、設定情報に基づいて一つ以上のＳＳブロックのうちの無競合ＲＡリソースが設定される少なくとも一つの適切なＳＳブロックが存在するかを決定し、一つ以上のＳＳブロック中で無競合ＲＡリソースが設定される少なくとも一つの適切なＳＳブロックが存在する場合に無競合ＲＡリソースが設定される適切なＳＳブロックを選択し、選択された適切なＳＳブロックに対応する第１ＲＡプリアンブルを選択し、送受信機が第１ＲＡプリアンブルを基地局に送信することを制御するように構成される。
制御機３１２０は、一つ以上のＳＳブロック中で無競合ＲＡリソースが設定される適切なＳＳブロックが見つけられない場合、競合基盤ＲＡリソースが設定される適切なＳＳブロックを選択するようにさらに構成される。
制御機３１２０は、一つ以上のＳＳブロック中の特定ＳＳブロックの信号品質が無線リソース制御（ＲＲＣ）シグナリングで設定されたしきい値より大きい場合に、特定ＳＳブロックを適切なＳＳブロックとして決定するように構成される。
制御機３１２０は、選択されたＳＳブロックに対応するＲＡリソースからＲＡリソースを搬送（ｃａｒｒｙ）する次の利用可能な時間スロットを選択するようにさらに構成される。
制御機３１２０は、送受信機が第２ＲＡプリアンブルを基地局に送信し、ＲＡＲウィンドウで第１ＲＡプリアンブル及び第２ＲＡプリアンブルに対する応答をモニタリングするようにさらに構成され、ＲＡＲウィンドウは、第１ＲＡプリアンブルの送信後オフセット以後に開始する。
制御機３１２０は、回路、ＡＳＩＣ、又は少なくとも一つのプロセッサを指称し得る。
【０３２７】
実施形態で、ＵＥの動作は、該当するプログラムコードを記憶するメモリー３１３０を用いて具現することができる。
具体的には、ＵＥは、所望する動作を具現するプログラムコードを記憶するようにメモリー３１３０を装着する。
所望する動作を行うために、制御機３１２０は、プロセッサ又は中央処理ユニット（ｃｅｎｔｒａｌ  ｐｒｏｃｅｓｓｉｎｇ  ｕｎｉｔ：ＣＰＵ）を用いることによって、メモリー３１３０に記憶されたプログラムコードを判読して実行する。
【０３２８】
図３２は、本発明の実施形態によるＢＳ（基地局）の概略構成を示すブロック図である。
図３２を参照すると、ＢＳは、送受信機３２１０、制御機３２２０、及びメモリー３２３０を含む。
【０３２９】
送受信機３２１０、制御機３２２０、及びメモリー３２３０は、上述したネットワーク（例えば、ｇＮＢ）の動作を行うように構成される。
送受信機３２１０、制御機３２２０、及びメモリー３２３０を別個のエンティティーとして示しているが、これは単一チップのような単一エンティティーとして実現することができる。
送受信機３２１０、制御機３２２０、及びメモリー３２３０は、互いに電気的に接続され得、結合され得る。
【０３３０】
送受信機３２１０は、信号を他のネットワークエンティティー、例えば、ＵＥに送信し、そこからの信号を受信する。
【０３３１】
制御機３２２０は、上述した実施形態のうちの一つによって機能を行うようにＢＳを制御する。
例えば、制御機３２２０は、送受信機が同期信号（ＳＳ）ブロックに関連付けられたＲＡリソースに関する設定情報を端末機に送信することを制御し、送信機が一つ以上のＳＳブロックを端末機に送信することを制御し、送受信機が端末機からＲＡプリアンブルを受信することを制御するように構成される。
制御機３２２０は、回路、ＡＳＩＣ、又は少なくとも一つのプロセッサを指称し得る。
【０３３２】
実施形態で、ＢＳの動作は、該当するプログラムコードを記憶するメモリー３２３０を用いて具現される。
具体的には、ＢＳは、所望する動作を具現するプログラムコードを記憶するようにメモリー３２３０を装着する。
所望する動作を行うため、制御機３２２０は、プロセッサ又はＣＰＵを用いることによって、メモリー３２３０に記憶されたプログラムコードを判読して実行する。
【０３３３】
本発明をこのような多様な実施形態を参照し示して説明したが、通常の技術者は、添付された請求範囲及びこの均等物によって定義されたように本発明の思想及び範囲を逸脱せずに形態及び詳細事項の多様な変更をすることができるということを理解するであろう。
【符号の説明】
【０３３４】
３１１０、３２１０    送受信機
３１２０、３２２０    制御機
３１３０、３２３０    メモリー
【図１】
2020528711.tif 000003
【図２】
2020528711.tif 000004
【図３】
2020528711.tif 000005
【図４】
2020528711.tif 000006
【図５】
2020528711.tif 000007
【図６】
2020528711.tif 000008
【図７】
2020528711.tif 000009
【図８】
2020528711.tif 000010
【図９】
2020528711.tif 000011
【図１０】
2020528711.tif 000012
【図１１】
2020528711.tif 000013
【図１２】
2020528711.tif 000014
【図１３】
2020528711.tif 000015
【図１４】
2020528711.tif 000016
【図１５】
2020528711.tif 000017
【図１６】
2020528711.tif 000018
【図１７】
2020528711.tif 000019
【図１８】
2020528711.tif 000020
【図１９】
2020528711.tif 000021
【図２０】
2020528711.tif 000022
【図２１】
2020528711.tif 000023
【図２２】
2020528711.tif 000024
【図２３】
2020528711.tif 000025
【図２４Ａ】
2020528711.tif 000026
【図２４Ｂ】
2020528711.tif 000027
【図２５】
2020528711.tif 000028
【図２６Ａ】
2020528711.tif 000029
【図２６Ｂ】
2020528711.tif 000030
【図２７】
2020528711.tif 000031
【図２８】
2020528711.tif 000032
【図２９】
2020528711.tif 000033
【図３０】
2020528711.tif 000034
【図３１】
2020528711.tif 000035
【図３２】
2020528711.tif 000036
【国際調査報告】
2020528711.tif 000037
2020528711.tif 000038
2020528711.tif 000039